(57)【要約】  本開示の態様は、狭帯域（ＮＢ）ＩｏＴ（internet-of-things）のような、狭帯域システムに関する複数の物理リソースブロック（ＰＲＢ）動作のための技法および装置を提供する。一態様では、ＮＢ−ＩｏＴデバイスであり得る、ユーザ機器（ＵＥ）のようなワイヤレスデバイスによって行われ得る方法が、提供される。方法は、概して、基地局（ＢＳ）との狭帯域通信に利用可能なＲＢのセット内のアンカＲＢにおいて受信された１つまたは複数の信号に基づいてセルサーチを行うことと、アンカＲＢにおいて受信されたインジケーションに基づいて、ＢＳとの狭帯域通信に利用可能な少なくとも１つの追加のＲＢのロケーションを決定することと、アンカＲＢまたは少なくとも１つの追加のリソースブロックのうちの少なくとも１つを使用して、ＢＳとの狭帯域通信を行うことと、を含む。
2019508968.tif 000002
【特許請求の範囲】
【請求項１】
ユーザ機器（ＵＥ）によるワイヤレス通信のための方法であって、
基地局（ＢＳ）との狭帯域通信に利用可能なリソースブロック（ＲＢ）のセット内のアンカＲＢにおいて受信された１つまたは複数の信号に基づいてセルサーチを行うことと、
前記アンカＲＢにおいて受信されたインジケーションに基づいて、前記ＢＳとの前記狭帯域通信に利用可能な少なくとも１つの追加のＲＢのロケーションを決定することと、
前記アンカＲＢまたは前記少なくとも１つの追加のＲＢのうちの少なくとも１つを使用して、前記ＢＳとの狭帯域通信を行うことと
を備える、方法。
【請求項２】
前記１つまたは複数の信号は、プライマリ同期信号（ＰＳＳ）、セカンダリ同期信号（ＳＳＳ）、または物理ブロードキャストチャネル（ＰＢＣＨ）のうちの少なくとも１つを備える、請求項１に記載の方法。
【請求項３】
前記少なくとも１つの追加のＲＢの前記ロケーションは、インバンド周波数ロケーション、またはガードバンド周波数ロケーションを備える、請求項１に記載の方法。
【請求項４】
前記インジケーションは、前記アンカＲＢにおいて、マスタ情報ブロック（ＭＩＢ）、システム情報ブロック（ＳＩＢ）のうちの少なくとも１つで、または無線リソース制御（ＲＲＣ）シグナリングを介して受信される、請求項１に記載の方法。
【請求項５】
前記インジケーションは、前記少なくとも１つの追加のＲＢの前記ロケーションに対応する１つまたは複数の物理リソースブロック（ＰＲＢ）インデックスのインジケーションを備える、請求項１に記載の方法。
【請求項６】
前記インジケーションは、前記アンカＲＢの周波数ロケーションに対する前記少なくとも１つの追加のＲＢの周波数オフセットのインジケーションを備える、請求項４に記載の方法。
【請求項７】
前記ＵＥは、狭帯域通信に利用可能な、可能性のあるＲＢの制限されたセットを用いて構成され、
前記インジケーションは、可能性のあるＲＢの前記制限されたセットのうちの少なくとも１つのインジケーションを備える、
請求項１に記載の方法。
【請求項８】
前記少なくとも１つの追加のＲＢの前記ロケーションが、インバンドロケーションであるか、ガードバンドロケーションであるか、またはスタンドアロンロケーションであるかの第２のインジケーションを受信することをさらに備え、前記少なくとも１つの追加のＲＢの前記ロケーションの前記インジケーションは、前記第２のインジケーションに基づいて解釈される、
請求項１に記載の方法。
【請求項９】
前記少なくとも１つの追加のＲＢの前記ロケーションの前記インジケーションは、前記少なくとも１つの追加のＲＢの絶対周波数ロケーションを備える、
請求項１に記載の方法。
【請求項１０】
前記アンカＲＢにおいてシステム情報ブロック（ＳＩＢ）ブロードキャストメッセージの１つまたは複数のタイプを受信することと、
前記アンカＲＢまたは前記少なくとも１つの追加のＲＢのうちの少なくとも１つにおいて、ＳＩＢメッセージの別のタイプ、ランダムアクセス応答（ＲＡＲ）メッセージ、またはページングメッセージのうちの少なくとも１つを受信することと
をさらに備える、請求項１に記載の方法。
【請求項１１】
前記狭帯域通信を行うことは、前記アンカＲＢのみを使用して前記ＢＳと通信することを備える、請求項１に記載の方法。
【請求項１２】
前記狭帯域通信を行うことは、第１の追加のＲＢにおいてアップリンク狭帯域通信を行うことと、前記第１の追加のＲＢとは異なる第２の追加のＲＢにおいてダウンリンク狭帯域通信を行うこととを備える、請求項１に記載の方法。
【請求項１３】
前記アンカＲＢまたは前記少なくとも１つの追加のＲＢのうちの少なくとも１つを使用して前記狭帯域通信を行うための前記ＵＥの能力を示すシグナリングを送信すること
をさらに備える、請求項１に記載の方法。
【請求項１４】
ＰＳＳ、ＳＳＳ、またはＰＢＣＨのうちの前記少なくとも１つは、第１の周期性で前記アンカＲＢにおいて受信され、
前記方法は、前記第１の周期性よりも大きい第２の周期性で、前記少なくとも１つの追加のＲＢにおいて別のＰＳＳまたはＳＳＳのうちの少なくとも１つを受信することをさらに備える、
請求項２に記載の方法。
【請求項１５】
前記少なくとも１つの追加のＲＢにおいて受信された前記少なくとも１つの他のＰＳＳ、ＳＳＳ、またはＰＢＣＨは、前記アンカＲＢにおいて受信された前記少なくとも１つのＰＳＳ、ＳＳＳ、またはＰＢＣＨとは異なる、
請求項１４に記載の方法。
【請求項１６】
前記狭帯域通信を行うことは、
第１の追加のＲＢにおいて第１の電力レベルで通信することと、第２の追加のＲＢにおいて前記第１の電力レベルとは異なる第２の電力レベルで通信することと
を備える、請求項１に記載の方法。
【請求項１７】
前記狭帯域通信を行うことは、
前記アンカＲＢにおいてのみ、物理ランダムアクセスチャネル（ＰＲＡＣＨ）メッセージを送信し、ランダムアクセス応答（ＲＡＲ）メッセージを受信すること
を備える、請求項１に記載の方法。
【請求項１８】
前記狭帯域通信を行うことは、
前記少なくとも１つの追加のＲＢにおいて、物理ランダムアクセスチャネル（ＰＲＡＣＨ）メッセージを送信し、ランダムアクセス応答（ＲＡＲ）メッセージを受信すること
を備える、請求項１に記載の方法。
【請求項１９】
物理ランダムアクセスチャネル（ＰＲＡＣＨ）メッセージを送信するのに利用可能なＲＢのセットを識別することと、
前記ＵＥのカバレッジレベル、ＵＥ識別、またはシステム情報ブロック（ＳＩＢ）中のインジケーションのうちの少なくとも１つに基づいて、前記ＰＲＡＣＨメッセージを送信するためにＲＢの前記セットから１つまたは複数のＲＢを選択することと
をさらに備える、請求項１に記載の方法。
【請求項２０】
前記アンカＲＢにおいてシステム情報ブロック（ＳＩＢ）情報の第１の部分を受信することと、
前記少なくとも１つの追加のＲＢにおいて前記ＳＩＢ情報の第２の部分を受信することと
をさらに備える、請求項１に記載の方法。
【請求項２１】
前記アンカＲＢは、第１の動作帯域幅内に位置し、
前記少なくとも１つの追加のＲＢは、第２の動作帯域幅内に位置する、
請求項１に記載の方法。
【請求項２２】
前記少なくとも１つの追加のＲＢは、別のアンカＲＢを備える、請求項１に記載の方法。
【請求項２３】
前記ＵＥが、前記アンカＲＢのみを使用して通信をサポートするか、または前記アンカＲＢと前記少なくとも１つの追加のＲＢとを使用して通信をサポートするかのインジケーションを前記ＢＳにシグナリングすること
をさらに備える、請求項１に記載の方法。
【請求項２４】
前記アンカＲＢのみにおいてページングメッセージを受信することをさらに備える、請求項１に記載の方法。
【請求項２５】
前記ＢＳからのページングメッセージに利用可能なＲＢのセットを識別することをさらに備え、
ＵＥ識別に基づいてページングメッセージについてモニタするために、ＲＢの前記セットから１つまたは複数のＲＢを選択すること
をさらに備える、請求項１に記載の方法。
【請求項２６】
前記少なくとも１つの追加のＲＢがアンカＲＢではないとのインジケーションを受信することをさらに備える、請求項１に記載の方法。
【請求項２７】
前記少なくとも１つの追加のＲＢにおいて送信されるシステム情報ブロック（ＳＩＢ）中の変更のインジケーションを有するＳＩＢを前記アンカＲＢにおいて受信することをさらに備える、請求項１に記載の方法。
【請求項２８】
基地局（ＢＳ）によるワイヤレス通信のための方法であって、
ユーザ機器（ＵＥ）との狭帯域通信に利用可能なリソースブロック（ＲＢ）のセット内のアンカＲＢにおいて１つまたは複数の信号を送ることと、
前記アンカＲＢにおいて、前記ＵＥとの前記狭帯域通信に利用可能な少なくとも１つの追加のＲＢのロケーションのインジケーションをシグナリングすることと、
前記アンカＲＢまたは前記少なくとも１つの追加のＲＢのうちの少なくとも１つを使用して、前記ＵＥとの狭帯域通信を行うことと
を備える、方法。
【請求項２９】
前記１つまたは複数の信号は、プライマリ同期信号（ＰＳＳ）、セカンダリ同期信号（ＳＳＳ）、または物理ブロードキャストチャネル（ＰＢＣＨ）のうちの少なくとも１つを備える、請求項２８に記載の方法。
【請求項３０】
前記少なくとも１つの追加のＲＢの前記ロケーションは、インバンド周波数ロケーション、またはガードバンド周波数ロケーションを備える、請求項２８に記載の方法。
【請求項３１】
前記インジケーションは、マスタ情報ブロック（ＭＩＢ）、システム情報ブロック（ＳＩＢ）のうちの少なくとも１つにおいて、または無線リソース制御（ＲＲＣ）シグナリングを介して送られる、請求項２８に記載の方法。
【請求項３２】
前記インジケーションは、前記少なくとも１つの追加のＲＢの前記ロケーションに対応する１つまたは複数の物理リソースブロック（ＰＲＢ）インデックスのインジケーションを備える、請求項２８に記載の方法。
【請求項３３】
前記インジケーションは、前記アンカＲＢの周波数ロケーションに対する前記少なくとも１つの追加のＲＢの周波数オフセットのインジケーションを備える、請求項２８に記載の方法。
【請求項３４】
前記ＵＥは、狭帯域通信に利用可能な、可能性のあるＲＢの制限されたセットを用いて構成され、
前記インジケーションは、可能性のあるＲＢの前記制限されたセットのうちの少なくとも１つのインジケーションを備える、
請求項２８に記載の方法。
【請求項３５】
前記少なくとも１つの追加のＲＢの前記ロケーションが、インバンドロケーションであるか、ガードバンドロケーションであるか、またはスタンドアロンロケーションであるかのインジケーションを送ることをさらに備える、請求項２８に記載の方法。
【請求項３６】
前記少なくとも１つの追加のＲＢの前記ロケーションの前記インジケーションは、前記少なくとも１つの追加のＲＢの絶対周波数ロケーションを備える、
請求項２８に記載の方法。
【請求項３７】
前記アンカＲＢにおいてシステム情報ブロック（ＳＩＢ）ブロードキャストメッセージの１つまたは複数のタイプを送信することと、
前記アンカＲＢまたは前記少なくとも１つの追加のＲＢのうちの少なくとも１つにおいて、ＳＩＢメッセージの別のタイプ、ランダムアクセス応答（ＲＡＲ）メッセージ、またはページングメッセージのうちの少なくとも１つを送信することと
をさらに備える、請求項２８に記載の方法。
【請求項３８】
前記アンカＲＢまたは前記少なくとも１つの追加のＲＢのうちの少なくとも１つを使用して前記狭帯域通信を行うための前記ＵＥの能力を示すシグナリングを受信すること
をさらに備える、請求項２８に記載の方法。
【請求項３９】
前記狭帯域通信を行うことは、第１の追加のＲＢにおいてアップリンク狭帯域通信を行うことと、前記第１のＲＢとは異なる第２の追加のＲＢにおいてダウンリンク狭帯域通信を行うこととを備える、請求項２８に記載の方法。
【請求項４０】
ＰＳＳ、ＳＳＳ、またはＰＢＣＨのうちの前記少なくとも１つは、第１の周期性で前記アンカＲＢにおいて送信され、
前記方法は、前記第１の周期性よりも大きい第２の周期性で、前記少なくとも１つの追加のＲＢにおいて別のＰＳＳまたはＳＳＳのうちの少なくとも１つを送信することをさらに備える、
請求項２９に記載の方法。
【請求項４１】
前記少なくとも１つの追加のＲＢにおいて送信された前記少なくとも１つの他のＰＳＳ、ＳＳＳ、またはＰＢＣＨは、前記アンカＲＢにおいて送信された前記少なくとも１つのＰＳＳ、ＳＳＳ、またＰＢＣＨとは異なる、
請求項３１に記載の方法。
【請求項４２】
前記狭帯域通信を行うことは、第１の追加のＲＢにおいて第１の電力レベルで通信することと、第２の追加のＲＢにおいて前記第１の電力レベルとは異なる第２の電力レベルで通信することとを備える、請求項２８に記載の方法。
【請求項４３】
前記狭帯域通信を行うことは、前記アンカＲＢにおいてのみ、物理ランダムアクセスチャネル（ＰＲＡＣＨ）メッセージを受信し、ランダムアクセス応答（ＲＡＲ）メッセージを送信することを備える、請求項２８に記載の方法。
【請求項４４】
前記狭帯域通信を行うことは、前記少なくとも１つの追加のＲＢにおいて、物理ランダムアクセスチャネル（ＰＲＡＣＨ）メッセージを受信し、ランダムアクセス応答（ＲＡＲ）メッセージを送信することを備える、請求項２８に記載の方法。
【請求項４５】
前記アンカＲＢ上でシステム情報ブロック（ＳＩＢ）情報の第１の部分を送信することと、
前記少なくとも１つの追加のＲＢ上で前記ＳＩＢ情報の第２の部分を送信することと
をさらに備える、請求項２８に記載の方法。
【請求項４６】
前記アンカＲＢは、第１の動作帯域幅内に位置し、
前記少なくとも１つの追加のＲＢは、第２の動作帯域幅内に位置する、
請求項２８に記載の方法。
【請求項４７】
前記少なくとも１つの追加のＲＢは、別のアンカＲＢを備える、請求項２８に記載の方法。
【請求項４８】
前記ＵＥが、前記アンカＲＢのみにおいてページングメッセージをモニタするか、あるいは、前記アンカＲＢまたは前記少なくとも１つの追加のＲＢのうちの少なくとも１つにおいてページングメッセージをモニタするかを決定することと、
前記決定に基づいて前記ＵＥにページングメッセージを送信するために、１つまたは複数のＲＢを選択することと
をさらに備える、請求項２８に記載の方法。
【請求項４９】
前記選択することは、
前記ＵＥが前記アンカＲＢ上のページングメッセージのみをモニタする場合、前記ＵＥにページングメッセージを送信するために前記アンカＲＢを選択することと、
前記ＵＥが、前記アンカＲＢまたは前記少なくとも１つの追加のＲＢのうちの少なくとも１つ上のページングメッセージについてモニタする場合、ＵＥ識別に基づいて前記ＵＥにページングメッセージを送信するために、前記アンカＲＢまたは前記少なくとも１つの追加のＲＢのうちの少なくとも１つを選択することと
を備える、請求項４８に記載の方法。
【請求項５０】
前記少なくとも１つの追加のＲＢがアンカＲＢではないとのインジケーションを送信することをさらに備える、請求項２８に記載の方法。
【請求項５１】
前記少なくとも１つの追加のＲＢにおいて送信されるシステム情報ブロック（ＳＩＢ）中の変更のインジケーションを有するＳＩＢを前記アンカＲＢにおいて送信することをさらに備える、請求項２８に記載の方法。
【請求項５２】
ユーザ機器（ＵＥ）によるワイヤレス通信のための装置であって、
基地局（ＢＳ）との狭帯域通信に利用可能なリソースブロック（ＲＢ）のセット内のアンカＲＢにおいて受信された１つまたは複数の信号に基づいてセルサーチを行うための手段と、
前記アンカＲＢにおいて受信されたインジケーションに基づいて、前記ＢＳとの前記狭帯域通信に利用可能な少なくとも１つの追加のＲＢのロケーションを決定するための手段と、
前記アンカＲＢまたは前記少なくとも１つの追加のＲＢのうちの少なくとも１つを使用して、前記ＢＳとの狭帯域通信を行うための手段と
を備える、装置。
【請求項５３】
基地局（ＢＳ）によるワイヤレス通信のための装置であって、
ユーザ機器（ＵＥ）との狭帯域通信に利用可能なリソースブロック（ＲＢ）のセット内のアンカＲＢにおいて１つまたは複数の信号を送るための手段と、
前記アンカＲＢにおいて、前記ＵＥとの前記狭帯域通信に利用可能な少なくとも１つの追加のＲＢのロケーションのインジケーションをシグナリングするための手段と、
前記アンカＲＢまたは前記少なくとも１つの追加のＲＢのうちの少なくとも１つを使用して、前記ＵＥとの狭帯域通信を行うための手段と
を備える、装置。
【請求項５４】
ユーザ機器（ＵＥ）によるワイヤレス通信のための装置であって、
基地局（ＢＳ）との狭帯域通信に利用可能なリソースブロック（ＲＢ）のセット内のアンカＲＢにおいて受信された１つまたは複数の信号に基づいてセルサーチを行うことと、
前記アンカＲＢにおいて受信されたインジケーションに基づいて、前記ＢＳとの前記狭帯域通信に利用可能な少なくとも１つの追加のＲＢのロケーションを決定することと、
前記アンカＲＢまたは前記少なくとも１つの追加のＲＢのうちの少なくとも１つを使用して、前記ＢＳとの狭帯域通信を行うことと
を行うように構成された少なくとも１つのプロセッサと、
前記少なくとも１つのプロセッサに結合されたメモリと
を備える、装置。
【請求項５５】
基地局（ＢＳ）によるワイヤレス通信のための装置であって、
ユーザ機器（ＵＥ）との狭帯域通信に利用可能なリソースブロック（ＲＢ）のセット内のアンカＲＢにおいて１つまたは複数の信号を送ることと、
前記アンカＲＢにおいて、前記ＵＥとの前記狭帯域通信に利用可能な少なくとも１つの追加のＲＢのロケーションのインジケーションをシグナリングすることと
を行うように構成された送信機と、
前記アンカＲＢまたは前記少なくとも１つの追加のＲＢのうちの少なくとも１つを使用して、前記ＵＥとの狭帯域通信を行うこと
を行うように構成された少なくとも１つのプロセッサと、
前記少なくとも１つのプロセッサに結合されたメモリと
を備える、装置。
【請求項５６】
ユーザ機器（ＵＥ）によるワイヤレス通信のためにコンピュータ実行可能コードを記憶したコンピュータ可読媒体であって、
基地局（ＢＳ）との狭帯域通信に利用可能なリソースブロック（ＲＢ）のセット内のアンカＲＢにおいて受信された１つまたは複数の信号に基づいてセルサーチを行うためのコードと、
前記アンカＲＢにおいて受信されたインジケーションに基づいて、前記ＢＳとの前記狭帯域通信に利用可能な少なくとも１つの追加のＲＢのロケーションを決定するためのコードと、
前記アンカＲＢまたは前記少なくとも１つの追加のＲＢのうちの少なくとも１つを使用して、前記ＢＳとの狭帯域通信を行うためのコードと
を備える、コンピュータ可読媒体。
【請求項５７】
基地局（ＢＳ）によるワイヤレス通信のためにコンピュータ実行可能コードを記憶したコンピュータ可読媒体であって、
ユーザ機器（ＵＥ）との狭帯域通信に利用可能なリソースブロック（ＲＢ）のセット内のアンカＲＢにおいて１つまたは複数の信号を送るためのコードと、
前記アンカＲＢにおいて、前記ＵＥとの前記狭帯域通信に利用可能な少なくとも１つの追加のＲＢのロケーションのインジケーションをシグナリングするためのコードと、
前記アンカＲＢまたは前記少なくとも１つの追加のＲＢのうちの少なくとも１つを使用して、前記ＵＥとの狭帯域通信を行うためのコードと
を備える、コンピュータ可読媒体。
【発明の詳細な説明】
【関連出願の相互参照および優先権主張】
【０００１】
[0001]  本特許出願は、２０１６年２月１１日に出願された米国特許仮出願第６２／２９４，１５０号の利益および優先権を主張する、２０１７年２月９日に出願された米国特許出願番号１５／４２８，２４２号の優先権を主張し、それら両方は、全ての適用可能な目的のために、その全体が参照により本明細書に組み込まれている。
【技術分野】
【０００２】
[0002]  本開示のある特定の態様は、概して、ワイヤレス通信に関し、より具体的には、狭帯域システムのための複数の物理リソースブロック（ＰＲＢ）動作に関する。
【背景技術】
【０００３】
[0003]  ワイヤレス通信システムは、音声、データなど、様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥ Ａｄｖａｎｃｅｄシステム、および直交周波数分割多元接続（ＯＦＤＭＡ）システムを含む。
【０００４】
[0004]  概して、ワイヤレス多元接続通信システムは、複数のワイヤレス端末のための通信を同時にサポートすることができる。各端末は、順方向リンクおよび逆方向リンク上の送信を介して、１つまたは複数の基地局と通信する。順方向リンク（または、ダウンリンク）は、基地局から端末までの通信リンクを指し、逆方向リンク（または、アップリンク）は、端末から基地局までの通信リンクを指す。この通信リンクは、単一入力単一出力、多入力単一出力、または多入力多出力（ＭＩＭＯ）システムを介して確立され得る。
【０００５】
[0005]  例として、ワイヤレス多元接続通信システムは、いくつかの基地局を含み得、各々が、別名ユーザ機器（ＵＥ）として知られている複数の通信デバイスのための通信を同時にサポートする。ＬＴＥまたはＬＴＥ−Ａネットワークでは、１つまたは複数の基地局のセットは、ｅノードＢ（ｅＮＢ）を定義し得る。他の例では（例えば、次世代または５Ｇネットワークでは）、ワイヤレス多元接続通信システムは、いくつかの集約ユニット（ＣＵ：central units）（例えば、集約ノード（ＣＮ：central nodes）、アクセスノードコントローラ（ＡＮＣ：access node controllers）など）と通信状態にある、いくつかの分散ユニット（ＤＵ）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ:transmission reception points）など）を含み得、ここで、集約ユニットと通信状態にある１つまたは複数の分散ユニットのセットは、アクセスノード（例えば、新規の無線基地局（ＮＲ ＢＳ：new radio base station）、新規の無線ノードＢ（ＮＲ ＮＢ：new radio node-B）、ネットワークノード、５Ｇ ＮＢ、ｇＮＢなど）を定義し得る。基地局またはＤＵは、（例えば、基地局からまたはＵＥへの送信のための）ダウンリンクチャネルおよび（例えば、ＵＥから基地局または分散ユニットへの送信のための）アップリンクチャネル上でＵＥのセットと通信し得る。
【０００６】
[0006]  しかしながら、モバイルブロードバンドアクセスに対する需要が増加し続けるにつれ、ＮＲ技術のさらなる改善の必要性が存在する。好ましくは、これらの改善は、他の多元接続技術と、これらの技術を採用する電気通信規格とに適用可能であるべきである。
【発明の概要】
【０００７】
[0007]  本開示のシステム、方法、およびデバイスは各々、いくつかの態様を有し、これらのうちのいずれも、その望ましい属性を単独で担うものではない。下記の特許請求の範囲によって表される本発明の範囲を限定することなく、いくつかの特徴が簡潔に説明されるだろう。この説明を考慮した後、また、特に「詳細な説明」と題するセクションを読んだ後、当業者であれば、本開示の特徴が、ワイヤレスネットワークにおけるアクセスポイントと局の間の改善された通信を含む利点をどのように提供するかを理解するだろう。
【０００８】
[0008]  本開示のある特定の態様は、概して、狭帯域システムのための複数の物理リソースブロック（ＰＲＢ）動作に関する。
【０００９】
[0009]  本開示のある特定の態様は、ユーザ機器（ＵＥ）によって行われる方法を提供する。方法は、概して、基地局（ＢＳ）との狭帯域通信に利用可能なリソースブロック（ＲＢ）のセット内のアンカＲＢ（anchor RB）において受信された１つまたは複数の信号に基づいてセルサーチを行うことと、アンカＲＢにおいて受信されたインジケーションに基づいて、ＢＳとの狭帯域通信に利用可能な少なくとも１つの追加のＲＢのロケーションを決定することと、アンカＲＢまたは少なくとも１つの追加のＲＢのうちの少なくとも１つを使用して、ＢＳとの狭帯域通信を行うことと、を含む。
【００１０】
[0010]  本開示のある特定の態様は、ＢＳによって行われる方法を提供する。方法は、概して、ＵＥとの狭帯域通信に利用可能なＲＢのセット内のアンカＲＢにおいて１つまたは複数の信号を送ることと、アンカＲＢにおいて、ＵＥとの狭帯域通信に利用可能な少なくとも１つの追加のＲＢのロケーションのインジケーションをシグナリングすることと、アンカＲＢまたは少なくとも１つの追加のＲＢのうちの少なくとも１つを使用して、ＵＥとの狭帯域通信を行うことと、を含む。
【００１１】
[0011]  本開示のある特定の態様は、ＵＥのような装置を提供する。装置は、概して、ＢＳとの狭帯域通信に利用可能なＲＢのセット内のアンカＲＢにおいて受信された１つまたは複数の信号に基づいてセルサーチを行うための手段と、アンカＲＢにおいて受信されたインジケーションに基づいて、ＢＳとの狭帯域通信に利用可能な少なくとも１つの追加のＲＢのロケーションを決定するための手段と、アンカＲＢまたは少なくとも１つの追加のＲＢのうちの少なくとも１つを使用して、ＢＳとの狭帯域通信を行うための手段と、を含む。
【００１２】
[0012]  本開示のある特定の態様は、ＢＳのような装置を提供する。装置は、概して、ＵＥとの狭帯域通信に利用可能なＲＢのセット内のアンカＲＢにおいて１つまたは複数の信号を送るための手段と、アンカＲＢにおいて、ＵＥとの狭帯域通信に利用可能な少なくとも１つの追加のＲＢのロケーションのインジケーションをシグナリングするための手段と、アンカＲＢまたは少なくとも１つの追加のＲＢのうちの少なくとも１つを使用して、ＵＥとの狭帯域通信を行うための手段と、を含む。
【００１３】
[0013]  本開示のある特定の態様は、ＵＥのような装置を提供する。装置は、概して、ＢＳとの狭帯域通信に利用可能なＲＢのセット内のアンカＲＢにおいて受信された１つまたは複数の信号に基づいてセルサーチを行うことと、アンカＲＢにおいて受信されたインジケーションに基づいて、ＢＳとの狭帯域通信に利用可能な少なくとも１つの追加のＲＢのロケーションを決定することと、アンカＲＢまたは少なくとも１つの追加のＲＢのうちの少なくとも１つを使用して、ＢＳとの狭帯域通信を行うことと、を行うように構成された少なくとも１つのプロセッサと、少なくとも１つのプロセッサに結合されたメモリと、を含む。
【００１４】
[0014]  本開示のある特定の態様は、ＢＳのような装置を提供する。装置は、概して、ＵＥとの狭帯域通信に利用可能なＲＢのセット内のアンカＲＢにおいて１つまたは複数の信号を送ることと、アンカＲＢにおいて、ＵＥとの狭帯域通信に利用可能な少なくとも１つの追加のＲＢのロケーションのインジケーションをシグナリングすることと、アンカＲＢまたは少なくとも１つの追加のＲＢのうちの少なくとも１つを使用して、ＵＥとの狭帯域通信を行うことと、を行うように構成された少なくとも１つのプロセッサを含む。
【００１５】
[0015]  本開示のある特定の態様は、ＵＥによるワイヤレス通信のためにコンピュータ実行可能コードを記憶したコンピュータ可読媒体を提供する。コンピュータ実行可能コードは、概して、ＢＳとの狭帯域通信に利用可能なＲＢのセット内のアンカＲＢにおいて受信された１つまたは複数の信号に基づいてセルサーチを行うためのコードと、アンカＲＢにおいて受信されたインジケーションに基づいて、ＢＳとの狭帯域通信に利用可能な少なくとも１つの追加のＲＢのロケーションを決定するためのコードと、アンカＲＢまたは少なくとも１つの追加のＲＢのうちの少なくとも１つを使用して、ＢＳとの狭帯域通信を行うためのコードと、を含む。
【００１６】
[0016]  本開示のある特定の態様は、コンピュータ実行可能コードを記憶したコンピュータ可読媒体を提供する。コンピュータ実行可能なコードは、概して、ＵＥとの狭帯域通信に利用可能なＲＢのセット内のアンカＲＢにおいて１つまたは複数の信号を送るためのコードと、アンカＲＢにおいて、ＵＥとの狭帯域通信に利用可能な少なくとも１つの追加のＲＢのロケーションのインジケーションをシグナリングするためのコードと、アンカＲＢまたは少なくとも１つの追加のＲＢのうちの少なくとも１つを使用して、ＵＥとの狭帯域通信を行うためのコードと、を含む。
【００１７】
[0017]  方法、装置、システム、コンピュータプログラム製品、コンピュータ可読媒体、および処理システムを含む多数の他の態様が提供される。前述のおよび関係する目的を達成するために、１つまたは複数の態様は、以下で十分に説明され、特に特許請求の範囲で指摘される特徴を備える。以下の説明および添付の図面に、１つまたは複数の態様のうちのある特定の例となる特徴が詳細に記載される。しかしながら、これらの特徴は、様々な態様の原理が採用され得る様々な方法のほんのいくつかを示すものであり、この説明は、すべてのそのような態様およびそれらの均等物を含むことを意図する。
【図面の簡単な説明】
【００１８】
[0018]  本開示の上述された特徴が詳細に理解されることができるように、上記では簡潔に概要を述べたより詳細な説明が、複数の態様を参照して行われ得、そのいくつかは、添付の図面において例示される。しかしながら、それら添付の図面は、本開示のある特定の典型的な態様のみを例示しており、従って、その説明が他の同等に効果的な態様を認め得ることから、その範囲を限定していると考慮されるべきではないことに留意されたい。
【図１】[0019]  図１は、本開示のある特定の態様に従った、ワイヤレス通信ネットワークの一例を概念的に例示するブロック図である。
【図２】[0020]  図２は、本開示のある特定の態様に従った、ワイヤレス通信ネットワークにおいてユーザ機器（ＵＥ）と通信状態にある基地局（ＢＳ）の例を概念的に例示するブロック図を示す。
【図３】[0021]  図３は、本開示のある特定の態様に従った、ワイヤレス通信ネットワークにおけるフレーム構造の一例を概念的に例示するブロック図である。
【図４】[0022]  図４は、本開示のある特定の態様に従った、通常のサイクリックプレフィックスを有する２つの例示的なサブフレームフォーマットを概念的に例示するブロック図である。
【図５】[0023]  図５は、本開示のある特定の態様に従った、狭帯域通信のための例示的なサブフレーム構成を例示する。
【図６】[0024]  図６は、本開示のある特定の態様に従った、例示的な狭帯域ＩｏＴ（ＮＢ−ＩｏＴ：narrowband Internet-of-Things）の展開を例示する。
【図７】[0025]  図７は、本開示のある特定の態様に従った、分散された無線アクセスネットワーク（ＲＡＮ）の例示的な論理アーキテクチャを例示するブロック図である。
【図８】[0026]  図８は、本開示のある特定の態様に従った、分散されたＲＡＮの例示的な物理アーキテクチャを示す図である。
【図９】[0027]  図９は、本開示のある特定の態様に従った、ダウンリンクセントリックサブフレーム（downlink-centric subframe）の例を例示する。
【図１０】[0028]  図１０は、本開示のある特定の態様に従った、アップリンクセントリックサブフレーム（uplink-centric subframe）の例を例示する。
【図１１】[0029]  図１１は、本開示のある特定の態様に従った、ＵＥによるワイヤレス通信のための例示的な動作を例示する例示的なフロー図である。
【図１２】[0030]  図１２は、本開示のある特定の態様に従った、ＢＳによるワイヤレス通信のための例示的な動作を例示するフロー図である。
【００１９】
[0031]  理解を容易にするために、可能な場合、図面に共通している同一の要素を指定するために同一の参照番号が使用されている。１つの実施形態で開示された要素は、具体的な説明がなくとも、他の実施形態において効果的に利用され得ることが予期される。
【詳細な説明】
【００２０】
[0032]  本開示の態様は、狭帯域（ＮＢ）ＩｏＴ（internet-of-things）のような、ＮＢ通信に関する複数の物理リソースブロック（ＰＲＢ）動作のための技法を提供する。ある特定の態様に従って、ＩｏＴデバイスのようなユーザ機器（ＵＥ）は、基地局（ＢＳ）との狭帯域通信に利用可能なリソースブロック（ＲＢ）のセット内のアンカリソースブロック（ＲＢ）において送信された１つまたは複数の信号に基づいてセルサーチを行い得る。ＢＳは、狭帯域通信に利用可能な追加のＲＢのロケーション（例えば、周波数ロケーション）をシグナリングし得る。ＢＳは、アンカＲＢおよび／または追加のＲＢ上でＵＥと通信し得る。
【００２１】
[0033]  以下の説明は、例を提供するものであり、特許請求の範囲に記載される範囲、適用可能性、または例を限定するものではない。本開示の範囲から逸脱することなく、論じられた要素の機能および配列において変更がなされ得る。様々な例は、必要に応じて、様々なプロシージャまたはコンポーネントを省略、代用、あるいは追加し得る。例えば、説明される方法は、説明されるものとは異なる順序で行われ、また、様々なステップが追加、省略、または組み合わせられ得る。また、いくつかの例に関して説明された特徴は、いくつかの他の例において組み合わせられ得る。例えば、本明細書に記載されている任意の数の態様を使用して、装置が実装され得るか、または方法が実施され得る。加えて本開示の範囲は、本明細書に記載される開示の様々な態様に加えて、または本開示の様々な態様の他に、他の構造、機能、または構造および機能を使用して実施されるそのような装置または方法をカバーすることを意図している。本明細書で開示される開示のいずれの態様も、特許請求の範囲の１つまたは複数の要素によって具現化され得ることが理解されるべきである。「例示的な」という用語は、本明細書で「例、実例、または例示としての役割を果たす」という意味で用いられる。「例示的な」ものとして本明細書で説明される任意の態様は、必ずしも、他の態様よりも好ましいまたは有利であると解釈されるべきでない。
【００２２】
[0034]本明細書で説明される技法は、ＣＤＭＡ、ＴＤＭＡ、ＦＤＭＡ、ＯＦＤＭＡ、ＳＣ−ＦＤＭＡおよび他のネットワークのような様々なワイヤレス通信ネットワークに使用され得る。「ネットワーク」および「システム」という用語は、しばしば互換的に使用される。ＣＤＭＡネットワークは、ユニバーサル地上無線アクセス（ＵＴＲＡ：universal terrestrial radio access）、ｃｄｍａ２０００のような無線技術を実装し得る。ＵＴＲＡは、広帯域ＣＤＭＡ（ＷＣＤＭＡ（登録商標））、時分割同期ＣＤＭＡ（ＴＤ−ＳＤＭＡ）、およびＣＤＭＡの他の変形を含む。ＣＤＭＡ２０００は、ＩＳ−２０００、ＩＳ−９５、およびＩＳ−８５６規格をカバーする。ＴＤＭＡネットワークは、モバイル通信のためのグローバルシステム（ＧＳＭ）（登録商標）のような無線技術を実装し得る。ＯＦＤＭＡネットワークは、新規の無線（ＮＲ）（例えば、５Ｇ無線アクセス）、発展型ＵＴＲＡ（Ｅ−ＵＴＲＡ）、ウルトラ・モバイル・ブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、Ｆｌａｓｈ−ＯＦＤＭ（登録商標）などのような無線技術を実装し得る。ＵＴＲＡおよびＥ−ＵＴＲＡは、ユニバーサルモバイル電気通信システム（ＵＭＴＳ）の一部である。周波数分割複信（ＦＤＤ）および時分割複信（ＴＤＤ）の両方における３ＧＰＰロングタームエボリューション（ＬＴＥ）およびＬＴＥ−Ａｄｖａｎｃｅｄ （ＬＴＥ−Ａ）は、ダウンリンクではＯＦＤＭＡを、アップリンクではＳＣ−ＦＤＭＡを適用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた組織からの文書で説明されている。ＣＤＭＡ２０００およびＵＭＢは、「第３世代パートナーシッププロジェクト２」（３ＧＰＰ２）と名付けられた組織からの文書に記載されている。ＮＲは、５Ｇ技術フォーラム（５ＧＴＦ：5G Technology Forum）とともに開発中の新生のワイヤレス通信技術である。本明細書で説明される技法は、上記のワイヤレスネットワークおよび無線技術、ならびに他のワイヤレスネットワークおよび無線技術に使用できる。明確化のために、それら技法のある特定の態様が、ＬＴＥ／ＬＴＥ−Ａｄｖａｎｃｅｄ、および３Ｇおよび／または４Ｇワイヤレス技術に関連付けられた共通する技術用語を使用するＬＴＥ／ＬＴＥ−Ａｄｖａｎｃｅｄについて下記で説明されるが、一方、本開示の態様は、ＮＲ技術を含む５Ｇ以降のような他のジェネレーションベースの通信システムに提供されることができる。
【００２３】
例となるワイヤレス通信システム
[0035]  図１は、本開示の態様が実行され得るワイヤレス通信ネットワーク１００の例を例示する。例えば、ワイヤレス通信ネットワーク１００は、狭帯域（ＮＢ）ＩｏＴ（internet-of-things）のための複数の物理リソースブロック（ＰＲＢ）動作をサポートし得る。ワイヤレス通信ネットワーク１００は、新規の無線（ＮＲ）または５Ｇネットワークであり得る。複数の態様では、ワイヤレス通信ネットワーク１００は、ＩｏＴデバイスであり得るユーザ機器（ＵＥ）１２０、および基地局（ＢＳ）１１０を含み得る。ＵＥ１２０およびＢＳ１１０は、それぞれ、複数のＰＲＢ動作に関して下記で詳細に説明される、動作１１００および１２００を行うように構成され得る。例えば、ＵＥ１２０は、セル（例えば、セル１０２）において、ＢＳ１１０との狭帯域通信に利用可能なリソースブロック（ＲＢ）のセット内のアンカＲＢにおいてＢＳ１１０によって送信された１つまたは複数の信号に基づいてセルサーチを行い得る。ＵＥ１２０は、例えば、ＢＳ１１０から受信されたインジケーションに基づいて、ＢＳ１１０との狭帯域通信に利用可能な少なくとも１つの追加のＲＢのロケーション（例えば、周波数ロケーション）を決定する。ＵＥ１２０は、アンカＲＢおよび／または追加のＲＢを使用して、ＢＳ１１０との狭帯域通信を行い得る。
【００２４】
[0036]  ワイヤレス通信ネットワーク１００は、ロングタームエボリューション（ＬＴＥ）ネットワーク、あるいは、ＮＲまたは５Ｇのような何らかの他のワイヤレスネットワークであり得る。ワイヤレス通信ネットワーク１００は、いくつかのＢＳ１１０および他のネットワークエンティティを含み得る。ＢＳは、ＵＥと通信するエンティティであり、ノードＢ、拡張／発展型ノードＢ（ｅＮＢ）、５Ｇ ＮＢ、ｇＮＢ、アクセスポイント（ＡＰ）、送受信ポイント（ＴＲＰ）、ＮＲ ＢＳ、マスタＢＳ、プライマリＢＳなどとも呼ばれ得る。各ＢＳは、特定の地理的エリアのための通信カバレッジを提供し得る。３ＧＰＰでは、「セル」という用語は、この用語が使用される状況に応じて、ＢＳのカバレッジエリアおよび／またはこのカバレッジエリアにサービスしているＢＳサブシステムを指すことがある。
【００２５】
[0037]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（例えば、家）をカバーし、このフェムトセルと関連性のあるＵＥ（例えば、クローズド加入者グループ（ＣＳＧ）におけるＵＥ）による制限されたアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つまたは複数の（例えば、３つの）セルをサポートし得る。「ＢＳ」、「基地局」、および「セル」という用語は、本明細書では互換的に使用され得る。
【００２６】
[0038]  ワイヤレス通信ネットワーク１００はまた、中継局（relay station）を含み得る。中継局は、アップストリーム局（例えば、ＢＳまたはＵＥ）からのデータの送信を受信し、ダウンストリーム局（例えば、ＵＥまたはＢＳ）へのデータの送信を送ることができるエンティティである。中継局はまた、他のＵＥのための送信を中継することができるＵＥであり得る。図１に示される例では、中継局１１０ｄは、ＢＳ１１０ａとＵＥ１２０ｄとの間の通信を容易にするために、マクロＢＳ１１０ａおよびＵＥ１２０ｄと通信し得る。中継局はまた、中継ＢＳ、中継基地局、中継器などと呼ばれ得る。
【００２７】
[0039]  ワイヤレス通信ネットワーク１００は、例えば、マクロＢＳ、ピコＢＳ、フェムトＢＳ、中継ＢＳなどの異なるタイプのＢＳを含む異種ネットワークであり得る。これらの異なるタイプのＢＳは、ワイヤレス通信ネットワーク１００において異なる送信電力レベル、異なるカバレッジエリア、および干渉に対する異なる影響を有し得る。例えば、マクロＢＳは、高い送信電力レベル（例えば、５〜４０ワット）を有し得るのに対して、ピコＢＳ、フェムトＢＳ、および中継ＢＳは、より低い送信電力レベル（例えば、０．１〜２ワット）を有し得る。
【００２８】
[0040]ネットワークコントローラ１３０は、ＢＳのセットに結合し、これらのＢＳの協調および制御を提供し得る。ネットワークコントローラ１３０は、バックホールを介してＢＳと通信し得る。ＢＳはまた、例えば、ワイヤレスまたはワイヤーラインバックホールを介して間接的にあるいは直接的に互いに通信し得る。
【００２９】
[0041]  図１では、両矢印付きの実線は、ダウンリンクおよび／またはアップリンク上での、ＵＥと、そのＵＥにサービスするように指定されたＢＳであるサービングＢＳとの間の所望の送信を示す。両矢印付きの点線は、ＵＥとＢＳとの間の潜在的に干渉する送信を示す。
【００３０】
[0042]  ＵＥ１２０（例えば、１２０ａ、１２０ｂ、１２０ｃ）は、ワイヤレス通信ネットワーク１００にわたって分散しており、各ＵＥは、固定式または移動式であり得る。ＵＥはまた、アクセス端末、端末、モバイル局、加入者局、局、加入者宅内機器（ＣＰＥ：Customer Premises Equipment)、セルラフォン（例えば、スマートフォン）、パーソナルデジタルアシスタント（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲーミングデバイス、ネットブック、スマートブック、ウルトラブック、モバイルデバイス、医療機器、生体センサ／デバイス、例えばスマートウォッチ、スマート衣服、スマートメガネ、スマートリストバンド、および／またはスマートジュエリ（例えば、スマートリング、スマートブレスレットなど）のようなウェアラブルデバイス、エンターテイメントデバイス（例えば、音楽デバイス、ビデオデバイス、衛星ラジオなど）、工業生産装置、全地球測位システム（ＧＰＳ）デバイスと呼ばれ得るか、あるいは、ワイヤレスまたはワイヤードモデムを介して通信するように構成された任意の他の適切なデバイスであり得る。いくつかのＵＥは、マシン型通信（ＭＴＣ：machine-type communication）デバイス、または拡張／発展型ＭＴＣ（ｅＭＴＣ）デバイスと見なされ得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、ロケーションタグなどを含む。ワイヤレスノードは、例えば、ワイヤードまたはワイヤレス通信リンクを介した、ネットワーク（例えば、インターネットまたはセルラネットワークのような広域ネットワーク）のための接続、またはネットワークへの接続を提供し得る。いくつかのＵＥは、ＩｏＴ（internet-of-things）デバイスと見なされ得る。
【００３１】
[0043]  一般に、任意の数のワイヤレスネットワークが、所与の地理的エリアに展開され得る。各ワイヤレスネットワークは、特定の無線アクセス技術（ＲＡＴ）をサポートし得、１つまたは複数の周波数上で動作し得る。ＲＡＴはまた、無線技術、エアインターフェースなどとも呼ばれ得る。周波数は、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００３２】
[0044]  いくつかの例では、エアインターフェースへのアクセスがスケジューリングされ得、ここで、スケジューリングエンティティ（例えば、ＢＳ１１０）は、そのサービスエリアまたはセル内のいくつかまたは全てのデバイスおよび機器間の通信のためにリソースを割り振る。スケジューリングエンティティは、１つまたは複数の下位エンティティ（subordinate entities）のために、リソースをスケジューリング、割り当て、再構成、および放出することを担い得る。スケジューリングされた通信について、下位エンティティは、スケジューリングエンティティによって割り振られたリソースを利用する。ＢＳ１１０は、スケジューリングエンティティとして機能し得る唯一のエンティティではない。いくつかの例では、ＵＥ１２０は、スケジューリングエンティティとして機能し得、１つまたは複数の下位エンティティ（例えば、１つまたは複数の他のＵＥ１２０）のためのリソースをスケジューリングする。この例では、ＵＥはスケジューリングエンティティとして機能しており、他のＵＥは、ワイヤレス通信のためにＵＥによってスケジューリングされたリソースを利用する。ＵＥは、ピア・ツー・ピア（Ｐ２Ｐ）ネットワーク中、および／またはメッシュネットワーク中のスケジューリングエンティティとして機能し得る。メッシュネットワークの例では、ＵＥは、スケジューリングエンティティとの通信に加えて、任意で互いと直接通信し得る。
【００３３】
[0045]  よって、セルラ構成、Ｐ２Ｐ構成、およびメッシュ構成を有する、並びに、時間−周波数リソースへのスケジューリングされたアクセスを用いたワイヤレス通信ネットワークでは、スケジューリングエンティティおよび１つまたは複数の下位エンティティは、スケジューリングされたリソースを利用して通信し得る。
【００３４】
[0046]  図２は、図１におけるＢＳのうちの１つおよびＵＥのうちの１つであり得る、ＢＳ１１０およびＵＥ１２０の設計のブロック図を示す。ＢＳ１１０は、Ｔ個のアンテナ２３４ａ〜２３４ｔを装備し得、ＵＥ１２０は、Ｒ個のアンテナ２５２ａ〜２５２ｒを装備し得、ここで、一般に、Ｔ≧１およびＲ≧１である。
【００３５】
[0047]  ＢＳ１１０において、送信プロセッサ２２０は、１つまたは複数のＵＥのためにデータソース２１２からデータを受信し、ＵＥから受信されたＣＱＩに基づいて、各ＵＥ１２０のために１つまたは複数の変調およびコーディングスキーム（ＭＣＳ）を選択し、各ＵＥのためのデータを、そのＵＥのために選択されたＭＣＳに基づいて処理（例えば、符号化および変調）し、全てのＵＥのためのデータシンボルを提供し得る。送信プロセッサ２２０はまた、（例えば、準静的リソース区分情報（ＳＲＰＩ：static resource partitioning information）などのための）システム情報および（例えば、チャネル品質情報（ＣＱＩ：channel quality information）要求、許可、上位層シグナリングなどの）制御情報を処理し、オーバーヘッドシンボルおよび制御シンボルを提供し得る。プロセッサ２２０はまた、基準信号（例えば、セル固有／共通基準信号（ＣＲＳ））および同期信号（例えば、プライマリ同期信号（ＰＳＳ）およびセカンダリ同期信号（ＳＳＳ））のための基準シンボルを生成し得る。送信（ＴＸ）複数入力複数出力（ＭＩＭＯ）プロセッサ２３０は、適用可能な場合、データシンボル、制御シンボル、オーバーヘッドシンボル、および／または基準シンボルにおいて空間処理（例えば、プリコーディング）を行い、Ｔ個の変調器（ＭＯＤ）２３２ａ〜２３２ｔにＴ個の出力シンボルストリームを提供し得る。各変調器２３２は、出力サンプルストリームを取得するために、（例えば、ＯＦＤＭなどのために）それぞれの出力シンボルストリームを処理し得る。各変調器２３２は、ダウンリンク信号を取得するために、出力サンプルストリームをさらに処理（例えば、アナログへの変換、増幅、フィルタ処理、およびアップコンバート）し得る。変調器２３２ａ〜２３２ｔからのＴ個のダウンリンク信号は、Ｔ個のアンテナ２３４ａ〜２３４ｔを介してそれぞれ送信され得る。
【００３６】
[0048]  ＵＥ１２０において、アンテナ２５２ａ〜２５２ｒは、ＢＳ１１０および／または他のＢＳからのダウンリンク信号を受信し得、受信された信号をそれぞれ復調器（ＤＥＭＯＤ）２５４ａ〜２５４ｒに提供し得る。各復調器２５４は、入力サンプルを取得するために、その受信信号を調整（例えば、フィルタ処理、増幅、ダウンコンバート、およびデジタル化）し得る。各復調器２５４は、受信シンボルを取得するために、（例えば、ＯＦＤＭなどのために）入力サンプルをさらに処理し得る。ＭＩＭＯ検出器２５６は、すべてのＲ個の復調器２５４ａ〜２５４ｒから受信シンボルを取得し得、適用可能な場合は受信シンボルに対してＭＩＭＯ検出を行い、検出シンボルを提供し得る。受信プロセッサ２５８は、検出されたシンボルを処理（例えば、復調および復号）し、データシンク２６０にＵＥ１２０のための復号されたデータを提供し、コントローラ／プロセッサ２８０に復号された制御情報およびシステム情報を提供し得る。チャネルプロセッサは、受信信号受信電力（ＲＳＲＰ）、受信信号強度インジケータ（ＲＳＳＩ）、受信信号受信品質（ＲＳＲＱ）、ＣＱＩなどを決定し得る。
【００３７】
[0049]  アップリンクでは、ＵＥ１２０において、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩなどを含む報告のための）制御情報を受信および処理し得る。プロセッサ２６４はまた、１つまたは複数の基準信号のための基準シンボルを生成し得る。送信プロセッサ２６４からのシンボルは、適用可能な場合、ＴＸ ＭＩＭＯプロセッサ２６６によってプリコードされ、（例えば、ＳＣ−ＦＤＭ、ＯＦＤＭなどのための）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合、ＭＩＭＯ検出器２３６によって検出され、ＵＥ１２０によって送られた復号されたデータおよび制御情報を取得するために受信プロセッサ２３８によってさらに処理され得る。プロセッサ２３８は、復号されたデータをデータシンク２３９に提供し、復号された制御情報をコントローラ／プロセッサ２４０に提供し得る。ＢＳ１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３８】
[0050]  コントローラ／プロセッサ２４０および２８０は、ＵＥ（例えば、ＩｏＴデバイス）とＢＳとの間の通信に使用するための、ＩｏＴに関する複数のＰＲＢ動作について本明細書で示される技法を行うために、それぞれＢＳ１１０およびＵＥ１２０における動作を指示し得る。例えば、ＢＳ１１０における、プロセッサ２４０および／または他のプロセッサおよびモジュール、並びに、ＵＥ１２０における、プロセッサ２８０および／または他のモジュールは、それぞれ、ＢＳ１１０およびＵＥ１２０の動作を行うか、または示し得る。例えば、ＵＥ１２０における、コントローラ／プロセッサ２８０および／または他のコントローラ／プロセッサおよびモジュール、並びに／あるいは、ＢＳ１１０における、コントローラ／プロセッサ２４０および／または他のコントローラ／プロセッサおよびモジュールは、それぞれ、図１１および１２に示される動作１１００および１２００を行うか、または指示し得る。メモリ２４２および２８２は、それぞれ、基地局１１０およびＵＥ１２０のためのデータおよびプログラムコードを記憶し得る。スケジューラ２４６は、ダウンリンクおよび／またはアップリンク上でのデータ送信のためにＵＥをスケジューリングし得る。
【００３９】
[0051]  図３は、例えば、ワイヤレス通信システム１００のようなワイヤレス通信システム中の周波数分割複信（ＦＤＤ）のための例示的なフレーム構造３００を示す。ダウンリンクおよびアップリンクの各々のための送信タイムラインは、無線フレームの単位（units）に区分され得る。各無線フレームは、所定の持続期間（例えば、１０ミリ秒（ｍｓ））を有し得、０〜９のインデックスを有する１０個のサブフレームに区分され得る。各サブフレームは、２個のスロットを含み得る。よって、各無線フレームは、０〜１９のインデックスを有する２０個のスロットを含み得る。各スロットは、Ｌ個のシンボル期間、例えば、（図３に示されるような）通常のサイクリックプレフィックスについては７個のシンボル期間、または拡張されたサイクリックプレフィックスについては６個のシンボル期間を含み得る。各サブフレーム中の２Ｌ個のシンボル期間には、０〜２Ｌ−１のインデックスが割り当てられ得る。
【００４０】
[0052]  ある特定のシステム（例えば、ＬＴＥ）では、ＢＳは、ＢＳによってサポートされる各セルのためのシステム帯域幅の中心のダウンリンク上でＰＳＳおよびＳＳＳを送信し得る。ＰＳＳおよびＳＳＳは、図３に示されるように、通常のサイクリックプレフィックスを有する各無線フレームのサブフレーム０および５における、それぞれ、シンボル期間６および５において送信され得る。ＰＳＳおよびＳＳＳは、セルサーチおよび捕捉（acquisition）のためにＵＥによって使用され得る。ＢＳは、ＢＳによってサポートされる各セルのためのシステム帯域幅にわたってＣＲＳを送信し得る。ＣＲＳは、各サブフレームのある特定のシンボル期間において送信され得、チャネル推定、チャネル品質測定、および／または他の機能を行うためにＵＥによって使用され得る。ＢＳはまた、ある特定の無線フレームのスロット１中のシンボル期間０〜３において物理ブロードキャストチャネル（ＰＢＣＨ）を送信し得る。ＰＢＣＨは、いくらかのシステム情報を搬送し得る。ＢＳは、ある特定のサブフレームにおける物理ダウンリンク共有チャネル（ＰＤＳＣＨ）上でシステム情報ブロック（ＳＩＢ）のような他のシステム情報を送信し得る。ＢＳは、サブフレームの第１のＢ個のシンボル期間における物理ダウンリンク制御チャネル（ＰＤＣＣＨ：Physical Downlink Control Channel）上で制御情報／データを送信し得、ここで、Ｂは各サブフレームに関して構成可能であり得る。ＢＳは、各サブフレームの残りのシンボル期間にＰＤＳＣＨ上でトラフィックデータおよび／または他のデータを送信し得る。
【００４１】
[0053]  図４は、通常のサイクリックプレフィックスを有する２つの例示的なサブフレームフォーマット４１０および４２０を示す。利用可能な時間周波数リソースは、リソースブロック（ＲＢ）に区分され得る。各ＲＢは、１つのスロット中に１２個のサブキャリアをカバーし得、いくつかのリソース要素（ＲＥ）を含み得る。各リソース要素は、１つのシンボル期間中の１つのサブキャリアをカバーし得、実数値または複素数値であり得る１つの変調シンボルを送るために使用され得る。
【００４２】
[0054]  サブフレームフォーマット４１０は、２つのアンテナに対して使用され得る。ＣＲＳは、シンボル期間０、４、７、および１１においてアンテナ０および１から送信され得る。基準信号は、送信機および受信機によってアプリオリに知られている信号であり、パイロットとも呼ばれ得る。ＣＲＳは、例えば、セルアイデンティティ（ＩＤ）に基づいて生成されたセルに関して固有の基準信号である。図４では、ラベルＲａを有する所与のＲＥに関して、そのＲＥ上でアンテナａから変調シンボルが送信され得、そのＲＥ上ではその他のアンテナから変調シンボルはまったく送信されない。サブフレームフォーマット４２０は、４本のアンテナを用いて使用され得る。ＣＲＳは、シンボル期間０、４、７および１１においては、アンテナ０および１から、また、シンボル期間１および８においては、アンテナ２および３から、送信され得る。サブフレームフォーマット４１０および４２０の両方について、ＣＲＳは、均等に間隔が空けられたサブキャリア上で送信され得、それは、セルＩＤに基づいて決定され得る。ＣＲＳは、それらのセルＩＤに依存して、同じまたは異なるサブキャリア上で送信し得る。サブフレームフォーマット４１０および４２０の両方について、ＣＲＳに関して使用されないＲＥは、データ（例えば、トラフィックデータ、制御データ、および／または他のデータ）を送信するために使用され得る。
【００４３】
[0055]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題された、３ＧＰＰ ＴＳ３６．２１１で説明されており、これは公に入手可能である。
【００４４】
[0056]  インタレース構造は、ある特定のＦＤＤシステム（例えば、ＬＴＥ）のためのダウンリンクおよびアップリンクの各々に対して使用され得る。例えば、０〜Ｑ−１のインデックスを有するＱ個のインタレースが定義され得、ここで、Ｑは４、６、８、１０、または何らかの他の値に等しくなり得る。各インタレースは、Ｑ個のフレーム分だけ間隔が空けられたサブフレームを含み得る。特に、インタレースｑは、サブフレームｑ、ｑ＋Ｑ、ｑ＋２Ｑなどを含み得、ここで、ｑ∈｛０，．．．，Ｑ−１｝である。
【００４５】
[0057]  例えば、ワイヤレス通信ネットワーク１００のようなワイヤレスネットワークは、ダウンリンクおよびアップリンク上のデータ送信のためのハイブリッド自動再送要求（ＨＡＲＱ）動作をサポートし得る。ＨＡＲＱについて、送信機（例えば、ＢＳ）は、パケットが受信機（例えば、ＵＥ）によって正確に復号されるまで、または他の何らかの終了条件が発生するまで、パケットの１つまたは複数の送信を送り得る。同期ＨＡＲＱに関して、パケットのすべての送信は、単一インタレースのサブフレーム中で送られ得る。非同期ＨＡＲＱに関ついて、パケットの各送信は、任意のサブフレーム中で送られ得る。
【００４６】
[0058]  １つのＵＥは、複数のＢＳのカバレッジ内に位置付けられ得る。そのＵＥをサービスするために、これらのＢＳのうちの１つが選択され得る。サービングＢＳは、受信信号強度、受信信号品質、パスロスなどのような様々な基準に基づいて選択され得る。受信信号品質は、信号対干渉および雑音比（ＳＩＮＲ）または基準信号受信品質（ＲＳＲＱ）、あるいは、何らかの他のメトリックによって数値化され得る。ＵＥは、ＵＥが１つまたは複数の干渉ＢＳからの高い干渉を観測し得る支配的な干渉シナリオにおいて動作し得る。
【００４７】
例示的な狭帯域動作
[0059]  ワイヤレス通信ネットワーク１００（例えば、ＬＴＥ、ＮＲ、または５Ｇネットワーク）中の１つまたは複数のＵＥ１２０はまた、狭帯域幅ＵＥ（narrowband bandwidth UE）であり得る。本明細書で使用されるとき、例えば、小さい帯域幅などの制限された通信リソースを有するデバイスは、概して、狭帯域ＵＥと呼ばれ得る。同様に、（例えば、ＬＴＥでの）レガシおよび／またはＡｄｖａｎｃｅｄ ＵＥのようなレガシデバイスは、概して、広帯域ＵＥと呼ばれ得る。概して、広帯域ＵＥは、狭帯域ＵＥよりも多くの量の帯域幅上で動作することが可能である。
【００４８】
[0060]  これらのＵＥは、ワイヤレス通信ネットワーク１００中の（例えば、より広い帯域幅上で動作することが可能な）レガシおよび／またはＡｄｖａｎｃｅｄ ＵＥと共存し得、ワイヤレス通信ネットワーク１００中の他のＵＥと比較して制限される１つまたは複数の能力を有し得る。狭帯域ＵＥについて、制限された量の情報しか交換される必要がない可能性があるため、様々な要件が緩和され得る。例えば、ＬＴＥ Ｒｅｌ−１２（およびそれ以降のリリース）に従って動作する狭帯域通信をサポートするＵＥは、以前のＬＴＥリリースに従って動作するレガシおよび／またはＡｄｖａｎｃｅｄ ＵＥと比較して制限された通信リソースを有し得る。狭帯域ＵＥは、（レガシ広帯域ＵＥに関連する）最大帯域幅の低減、単一受信無線周波数（ＲＦ）チェーンの使用、ピークレートの低減（例えば、トランスポートブロックサイズ（ＴＢＳ：transport block size）について最大１０００ビットがサポートされる）、送信電力の低減、ランク１送信の使用、半二重動作などのうちの１つまたは複数を用いて動作し得る。いくつかのケースでは、半二重動作がサポートされる場合、狭帯域ＵＥは、送信動作から受信動作（または受信動作から送信動作）への緩和された切り替えタイミングを有し得る。例えば、１つのケースでは、レガシおよび／またはＡｄｖａｎｃｅｄ ＵＥのための２０マイクロ秒（μｓ）の切り替えタイミングと比較して、狭帯域ＵＥは、１ミリ秒（ｍｓ）の緩和された切り替えタイミングを有し得る。
【００４９】
[0061]  いくつかのケースでは、狭帯域ＵＥはまた、レガシおよび／またはＡｄｖａｎｃｅｄ ＵＥが、最初の数個のシンボルにおいて広帯域ＤＬ制御チャネル（例えば、物理ダウンリンク制御チャネル（ＰＤＣＣＨ））をモニタし、同様に、比較的狭帯域を占有するが１つのサブフレームの長さに及ぶ狭帯域ＤＬ制御チャネル（例えば、拡張されたＰＤＣＣＨ（ｅＰＤＣＣＨ））をモニタするのと同じ方法で、ダウンリンク（ＤＬ）制御チャネルをモニタすることができる。
【００５０】
[0062]  狭帯域ＵＥは、より広いシステム帯域幅内（例えば、１．４／３／５／１０／１５／２０ＭＨｚにおいて）で共存しながら、利用可能なシステム帯域幅の中から区分される）６個のリソースブロック（ＲＢ）または１．４ＭＨｚの特定の狭帯域割り当てに制限され得る。加えて、狭帯域ＵＥはまた、動作の１つまたは複数のカバレッジモードをサポートすることが可能であり得る。例えば、狭帯域ＵＥは、最大１５ｄＢのカバレッジ拡張をサポートすることが可能であり得る。
【００５１】
[0063]  いくつかのケースでは、ＵＥ（例えば、狭帯域ＵＥまたは広帯域ＵＥ）は、ネットワーク中で通信する前に、セルサーチおよび捕捉プロシージャを行い得る。１つのケースでは、例として図１で例示されるワイヤレス通信ネットワーク１００に関連して、ＵＥがセルに接続されておらず、かつワイヤレス通信ネットワーク１００へのアクセスを希望するときに、セルサーチおよび捕捉プロシージャが行われ得る。これらのケースでは、ＵＥは、ちょうど電源オン（powered on）されたばかりである、セルへの接続を一時的になくした後に接続を回復している、などであり得る。他のケースでは、セルサーチおよび捕捉プロシージャは、ＵＥが既にセルに接続されているときに行われ得る。例えば、ＵＥは、新規のセルを検出している可能性があり、新規のセルへのハンドオーバを準備し得る。別の例として、ＵＥは、（例えば、不連続受信（ＤＲＸ）をサポートし得る）１つまたは複数の低電力状態で動作している可能性があり、その１つまたは複数の低電力状態から脱すると、（ＵＥが未だ接続モードであったとしても）セルサーチおよび捕捉プロシージャを行わなければならない可能性がある。
【００５２】
[0064]  ある特定の規格（例えば、ＬＴＥリリース１３）は、本明細書で拡張されたＭＴＣ（またはｅＭＴＣ）と呼ばれる、様々な追加のＭＴＣ拡張のためのサポートを導入し得る。例えば、ｅＭＴＣは、ＭＴＣ ＵＥに最大１５ｄＢのカバレッジ拡張を提供し得る。
【００５３】
[0065]  図５のサブフレーム構造５００に例示されるように、ｅＭＴＣ ＵＥは、より広いシステム帯域幅（例えば、１．４／３／５／１０／１５／２０ＭＨｚ）で動作しつつ、狭帯域動作をサポートすることができる。図５に例示される例では、従来のレガシ制御領域５１０は、最初の数個のシンボルのシステム帯域幅に及び得るが、一方（データ領域５２０の幅の狭い部分に及ぶ）システム帯域幅の狭帯域領域５３０は、ＭＴＣ物理ダウンリンク制御チャネル（本明細書ではｍＰＤＣＣＨと呼ばれる）のためと、ＭＴＣ物理ダウンリンク共有チャネル（本明細書ではｍＰＤＳＣＨと呼ばれる）のために予約され得る。いくつかのケースでは、狭帯域領域をモニタするＭＴＣ ＵＥは、１．４ＭＨｚまたは６個のＲＢで動作し得る。
【００５４】
[0066]  ｅＭＴＣ ＵＥは、６個のＲＢよりも大きい帯域幅を有するセル中で動作することが可能であり得る。このより大きい帯域幅内で、各ｅＭＴＣ ＵＥは未だ、６個の物理リソースブロック（ＰＲＢ）の制約に従いつつ、動作（例えば、モニタ／受信／送信）し得る。いくつかのケースでは、異なるｅＭＴＣ ＵＥは、（例えば、各々が６個のＰＲＢに及ぶ）異なる狭帯域領域によってサービス提供され得る。システム帯域幅が、１．４〜２０ＭＨｚ、または６〜１００個のＲＢに及び得るとき、複数の狭帯域領域が、より大きい帯域幅内に存在し得る。ｅＭＴＣ ＵＥはまた、干渉を低減するために、複数の狭帯域間で切り替えまたはホップ（hop）し得る。
【００５５】
[0067]  ＩｏＴ（internet-of-things）は、物理的なオブジェクト、デバイス、または「モノ（things）」のネットワークを指し得る。ＩｏＴデバイスは、例えば、電子技術、ソフトウェア、またはセンサに組み込まれ得、かつネットワーク接続を有し得、それらデバイスがデータを収集および交換することを可能にする。ＩｏＴデバイスは、既存のネットワークインフラストラクチャを介して、遠隔で感知および制御され得、現実の世界とコンピュータベースのシステムとのより直接的な統合のための機会を生み出し、改善された効率、精度、および経済的利益をもたらす。センサおよびアクチュエータを用いて拡張されたＩｏＴデバイスを含むシステムは、サイバーフィジカルシステム（cyber-physical systems）と呼ばれ得る。サイバーフィジカルシステムは、スマートグリッド、スマートホーム、高度交通システム、および／またはスマートシティのような技術を含み得る。各「モノ」（例えば、ＩｏＴデバイス）は、それに組み込まれたコンピューティングシステムを通じて一意に識別可能であり得、インターネット・インフラストラクチャのような既存のインフラストラクチャ内で同時に使用することが可能であり得る。
【００５６】
[0068]  狭帯域ＩｏＴ（ＮＢ−ＩｏＴ）は、ＩｏＴのために特別に設計された狭帯域無線技術を指し得る。ＮＢ−ＩｏＴは、屋内カバレッジ、低コスト、長いバッテリ寿命、および多数のデバイスにフォーカスし得る。
【００５７】
[0069]  ＵＥの複雑さを低減するために、ＮＢ−ＩｏＴは、１つの物理リソースブロック（ＰＲＢ）（例えば、１８０ｋＨｚ＋２０ｋＨｚのガードバンド）を利用する狭帯域展開を可能にし得る。ＮＢ−ＩｏＴ展開は、例えば、ＮＢ−ＬＴＥおよび／または拡張／発展型マシンタイプ通信ｅＭＴＣとの相互互換性および低減されたフラグメンテーションを可能にするために、ハードウェアおよびある特定のシステム（例えば、ＬＴＥ）の上位層コンポーネントを利用し得る。例えば、（例えば、ワイヤレス通信ネットワーク１００のような）ワイヤレス通信ネットワークは、異なる展開モードを用いて狭帯域動作（例えば、ＮＢ−ＩｏＴ）のための１８０ｋＨｚ展開をサポートし得る。１つの例では、狭帯域動作は、例えば、より広いシステム帯域幅内のＲＢを使用して、インバンド（in-band）で展開され得る。１つのケースでは、狭帯域動作は、（例えば、ＬＴＥ、ＮＲ、または５Ｇネットワークのような）レガシネットワークのより広いシステム帯域幅内の１つのＲＢを使用し得る。このケースでは、ＲＢのための１８０ｋＨｚ帯域幅は、広帯域ＲＢとアラインし得る。１つの例では、狭帯域動作は、システムキャリアガードバンド内の使用されていないＲＢ中で展開され得る。この展開では、ガードバンド内の１８０ｋＨｚのＲＢは、例えば、同じＦＦＴを使用するために、および／またはインバンドレガシ通信の干渉を低減するために、システム（例えば、広帯域ＬＴＥ）の１５ｋＨｚトーングリッドとアラインし得る。
【００５８】
[0070]  図６は、本開示のある特定の態様に従った、例示的なＮＢ−ＩｏＴ展開６００を例示する。インバンド展開構成について、ＮＢ−ＩｏＴは、同じ周波数帯域中に展開されるレガシシステム（例えば、ＧＳＭ、ＷＣＤＭＡ、および／またはＬＴＥシステム）と共存し得る。例えば、広帯域ＬＴＥチャネルは、１．４ＭＨｚ〜２０ＭＨｚ間の様々な帯域幅で展開され得る。図６に示されているように、その帯域幅内の専用（dedicated）ＲＢ６０２は、ＮＢ−ＩｏＴによる使用に利用可能であり得、および／または、ＲＢ６０４は、ＮＢ−ＩｏＴのために動的に割り振られ得る。図６で図示されるように、インバンド展開では、広帯域チャネル（例えば、ＬＴＥ）の１つのＲＢまたは２００ｋＨｚは、ＮＢ−ＩｏＴのために使用され得る。
【００５９】
[0071]  ある特定のシステム（例えば、ＬＴＥ）は、隣接するキャリア間の干渉に対してガードするために、キャリア間の無線スペクトルの使用されていない部分を含み得る。いくつかの展開では、ＮＢ−ＩｏＴは、広帯域チャネルのガードバンド６０６中で展開され得る。
【００６０】
[0072]  他の展開では、ＮＢ−ＩｏＴは、スタンドアロン展開され得る（図示されない）。スタンドアロン展開では、１つの２００ＭＨｚキャリアは、ＮＢ−ＩｏＴトラフィックを搬送するために利用され得、レガシ（例えば、ＧＳＭ）スペクトルが再利用され得る。
【００６１】
[0073]  ＮＢ−ＩｏＴの展開は、周波数およびタイミング同期のためのＰＳＳと、システム情報を搬送するためのＳＳＳとのような同期信号を含み得る。ＮＢ−ＩｏＴ動作について、ＰＳＳ／ＳＳＳタイミング境界は、レガシシステム（例えば、ＬＴＥ）中の既存のＰＳＳ／ＳＳＳフレーム境界と比較すると、例えば、１０ｍｓから４０ｍｓ拡張され得る。タイミング境界に基づいて、ＵＥは、ＰＢＣＨ送信を受信することができ、それは、無線フレームのサブフレーム０において送信され得る。
【００６２】
例示的なＮＲ／５ＧＲＡＮアーキテクチャ
[0074]  新規の無線（ＮＲ）は、（例えば、直交周波数分割多元接続（ＯＦＤＭＡ）ベースのエアインターフェース以外の）新規のエアインターフェースまたは（例えば、インターネットプロトコル（ＩＰ）以外の）固定されたトランスポートレイヤに従って動作するように構成された無線通信（radios）を指し得る。ＮＲは、アップリンクおよびダウンリンク上でＣＰを用いたＯＦＤＭを利用し得、ＴＤＤを使用する半二重動作のためのサポートを含み得る。ＮＲは、広帯域幅（例えば、８０ＭＨｚを超える）を対象とする（targeting）拡張されたモバイルブロードバンド（ｅＭＢＢ）サービス、高キャリア周波数（例えば、６０ＧＨｚ）を対象とするミリ波（ｍｍＷ）、後方互換性のないＭＣ技法を対象とするマッシブＭＴＣ（ｍＭＴＣ：massive MTC）、および／または高信頼性低レイテンシ通信（ＵＲＬＬＣ）サービスを対象とするミッションクリティカル（mission critical）を含み得る。
【００６３】
[0075]  １００ＭＨＺの単一コンポーネントキャリア帯域幅がサポートされ得る。ＮＲリソースブロックは、０．１ｍｓの持続期間にわたって７５ｋＨｚのサブキャリア帯域幅を有する１２個のサブキャリアに及び得る。各無線フレームは、１０ｍｓの長さを有する５０個のサブフレームで構成され得る。従って、各サブフレームは、０．２ｍｓの長さを有し得る。各サブフレームは、データ送信のためのリンク方向（すなわち、ＤＬまたはＵＬ）を示し得、各サブフレームのためのリンク方向が、動的に切り替えられ得る。各サブフレームは、ＤＬ／ＵＬデータ、同様に、ＤＬ／ＵＬ制御データを含み得る。ＮＲのためのＵＬおよびＤＬサブフレームは、図９および１０に関連して下記でより詳細に説明され得る。
【００６４】
[0076]  ビームフォーミングがサポートされ得、ビーム方向が動的に構成され得る。プリコードを用いたＭＩＭＯ送信もまたサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大２ストリームを有するマルチレイヤ送信がサポートされ得る。複数のセルのアグリゲーションは、最大８個のサービングセルを用いてサポートされ得る。代替的に、ＮＲは、ＯＦＤＭベースのインターフェース以外の、異なるエアインターフェースをサポートし得る。ＮＲネットワークは、集約ユニットまたは分散ユニットのようなエンティティを含み得る。
【００６５】
[0077]  ＲＡＮは、集約ユニット（ＣＵ）および分散ユニット（ＤＵ）を含み得る。ＮＲ ＢＳ（例えば、ｇＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ：access cells）またはデータオンリーセル（ＤＣｅｌｌ：data only cells）として構成され得る。例えば、ＲＡＮ（例えば、集約ユニットまたは分散ユニット）は、セルを構成し得る。ＤＣｅｌｌは、キャリアアグリゲーションまたは二重接続のために使用されるセルであり得るが、初期アクセス、セル選択／再選択、またはハンドオーバのためには使用されない。いくつかのケースでは、ＤＣｅｌｌは、同期信号を送信しない可能性がある―――いくつかのケースではＤＣｅｌｌは、ＳＳを送信し得る。ＮＲ ＢＳは、セルタイプを示すダウンリンク信号をＵＥに送信し得る。セルタイプインジケーションに基づいて、ＵＥは、ＮＲ ＢＳと通信し得る。例えば、ＵＥは、示されたセルタイプに基づいて、セル選択、アクセス、ハンドオーバ、および／または測定（measurement）について考慮するために、ＮＲ ＢＳを決定し得る。
【００６６】
[0078]  図７は、本開示の態様に従った、分散ＲＡＮ７００の例示的な論理アーキテクチャを例示する。５Ｇアクセスノード７０６は、アクセスノードコントローラ（ＡＮＣ：access node controller）７０２を含み得る。ＡＮＣは、分散ＲＡＮ７００の集約ユニット（ＣＵ）であり得る。次世代コアネットワーク（ＮＧ−ＣＮ）７０４へのバックホールインターフェースは、ＡＮＣにおいて終了(terminate)し得る。隣接する次世代アクセスノード（ＮＧ−ＡＮ：neighboring next generation access nodes）へのバックホールインターフェースは、ＡＮＣにおいて終了し得る。ＡＮＣは、（ＢＳ、ＮＲ ＢＳ、ノードＢ、５Ｇ ＮＢ、ＡＰ、または何らかの他の用語でも呼ばれ得る）１つまたは複数のＴＲＰ７０８を含み得る。上述されるように、ＴＲＰは、「セル」と互換的に使用され得る。
【００６７】
[0079]  ＴＲＰ７０８は、分散ユニット（ＤＵ）であり得る。ＴＲＰは、１つのＡＮＣ（ＡＮＣ７０２）または１つ以上のＡＮＣ（図示されない）に接続され得る。例えば、ＲＡＮ共有、サービスとしての無線（ＲａａＳ：radio as a service）、およびサービス固有ＡＮＤ展開（service specific AND deployments）について、ＴＲＰは、１つ以上のＡＮＣに接続され得る。ＴＲＰは、１つまたは複数のアンテナポートを含み得る。ＴＲＰは、個別に（例えば、動的選択）または共同で（例えば、共同送信）ＵＥへのトラフィックをサービスするように構成され得る。
【００６８】
[0080]  ローカルアーキテクチャ７００は、フロントホール定義を例示するために使用され得る。そのアーキテクチャは、異なる展開タイプにわたってフロントホールソリューション（fronthauling solutions）をサポートすることを定義し得る。例えば、アーキテクチャは、送信ネットワーク能力（例えば、帯域幅、レイテンシ、および／またはジッタ）に基づき得る。
【００６９】
[0081]  アーキテクチャは、特徴および／またはコンポーネントをＬＴＥと共有し得る。複数の態様に従って、次世代ＡＮ（ＮＧ−ＡＮ）７１０は、ＮＲとの二重接続をサポートし得る。ＮＧ−ＡＮは、ＬＴＥおよびＮＲのための共通フロントホールを共有し得る。
【００７０】
[0082]  アーキテクチャは、ＴＲＰ７０８間（between and among）の協調を可能にし得る。例えば、協調は、ＡＮＣ７０２を介して複数のＴＲＰ間および／または１つのＴＲＰ内でプリセットされ得る。複数の態様に従って、ＴＲＰ間インターフェース（inter-TRP interface）が必要とされ得ない／存在し得ない。
【００７１】
[0083]  複数の態様に従って、分割論理機能の動的構成が、アーキテクチャ７００内に存在し得る。ＰＤＣＰ、ＲＬＣ、ＭＡＣプロトコルは、ＡＮＣまたはＴＲＰに適応可能に置かれ得る。
【００７２】
[0084]  ある特定の態様に従って、ＢＳは、集約ユニット（ＣＵ）（例えば、ＡＮＣ７０２）および／または１つまたは複数の分散ユニット（例えば、１つまたは複数のＴＲＰ７０８）を含み得る。
【００７３】
[0085]  図８は、本開示の態様に従った、分散ＲＡＮ８００の例示的な物理アーキテクチャを例示する。集中コアネットワークユニット（Ｃ−ＣＵ：centralized core network unit）８０２は、コアネットワーク機能をホストし得る。Ｃ−ＣＵは、集中配置され（centrally deployed）得る。Ｃ−ＣＵ機能は、ピーク容量を処理しようとして、（例えば、Ａｄｖａｎｃｅｄ ワイヤレスサービス（ＡＷＳ：advanced wireless services）に）オフロードされ得る。
【００７４】
[0086]  集中ＲＡＮユニット（Ｃ−ＲＵ）８０４は、１つまたは複数のＡＮＣ機能をホストし得る。任意で、Ｃ−ＲＵは、コアネットワーク機能をローカルにホストし得る。Ｃ−ＲＵは、分散型配置（distributed deployment）を有し得る。Ｃ−ＲＵは、ネットワークエッジに近い可能性がある。
【００７５】
[0087]  分散ユニット（ＤＵ）７０６は、１つまたは複数のＴＲＰをホストし得る。ＤＵは、無線周波数（ＲＦ）機能を有してネットワークのエッジに位置し得る。
【００７６】
[0088]  図９は、ＤＬセントリックサブフレームの例を示す図９００である。ＤＬセントリックサブフレームは、制御部９０２を含み得る。制御部９０２は、ＤＬセントリックサブフレームの初期または開始部分に存在し得る。制御部９０２は、ＤＬセントリックサブフレームの様々な部分に対応する様々なスケジューリング情報および／または制御情報を含み得る。いくつかの構成では、制御部９０２は、図９で示されるように、物理ＤＬ制御チャネルであり得る。ＤＬセントリックサブフレームはまた、ＤＬデータ部９０４も含み得る。ＤＬデータ部９０４は、ＤＬセントリックサブフレームのペイロードと呼ばれることもある。ＤＬデータ部９０４は、スケジューリングエンティティ（例えば、ＵＥまたはＢＳ）から下位エンティティ（例えば、ＵＥ）へＤＬデータを通信するために利用される通信リソースを含み得る。いくつかの構成では、ＤＬデータ部９０４は、物理ＤＬ共有チャネル（ＰＤＳＣＨ）であり得る。
【００７７】
[0089]  ＤＬセントリックサブフレームはまた、共通ＵＬ部９０６を含み得る。共通ＵＬ部９０６は、ＵＬバースト、共通ＵＬバースト、および／または様々な他の適切な用語で呼ばれることもある。共通ＵＬ部９０６は、ＤＬセントリックサブフレームの様々な他の部分に対応するフィードバック情報を含み得る。例えば、共通ＵＬ部９０６は、制御部９０２に対応するフィードバック情報を含み得る。フィードバック情報の限定されない例は、ＡＣＫ信号、ＮＡＣＫ信号、ＨＡＲＱインジケータ、および／または他の適切なタイプの情報を含み得る。共通ＵＬ部９０６は、ランダムアクセスチャネル（ＲＡＣＨ）プロシージャ、スケジューリングリクエスト（ＳＲ）、および様々な他の適切なタイプの情報に関連する情報のような追加的または代替的な情報を含み得る。図９に示されるように、ＤＬデータ部９０４の終端は、共通ＵＬ部９０６の始端から時間的に分離され得る。この時間分離は、ギャップ、ガード期間、ガードインターバル、および／または様々な他の適切な用語で呼ばれることもある。この分離は、ＤＬ通信（例えば、下位エンティティ（例えば、ＵＥ）による受信動作）から、ＵＬ通信（例えば、下位エンティティ（例えば、ＵＥ）による送信）への切り替えのための時間を提供する。前述のものが単にＤＬセントリックサブフレームの一例であり、また、同様の特徴を有する代替的構成が、本明細書で説明される態様から必ずしも逸脱せずに存在し得ることを、当業者は理解するだろう。
【００７８】
[0090]  図１０は、ＵＬセントリックサブフレームの例を示す図１０００である。ＵＬセントリックサブフレームは、制御部１００２を含み得る。制御部１００２は、ＵＬセントリックサブフレームの初期または開始部分に存在し得る。図１０の制御部１００２は、図９に関連して上述された制御部１００２と同様であり得る。ＵＬセントリックサブフレームはまた、ＵＬデータ部１００４も含み得る。ＵＬデータ部１００４は、ＵＬセントリックサブフレームのペイロードと呼ばれ得ることもある。ＵＬ部分は、下位エンティティ（例えば、ＵＥ）からスケジューリングエンティティ（例えば、ＵＥまたはＢＳ）へのＵＬデータを通信するために利用される通信リソースを指し得る。いくつかの構成では、制御部１００２は、ＰＤＣＣＨであり得る。いくつかの構成では、データ部は、物理アップリンク共有チャネル（ＰＵＳＣＨ）であり得る。
【００７９】
[0091]  図１０に示されるように、制御部１００２の終端は、ＵＬデータ部１００４の始端から時間的に分離され得る。この時間分離は、ギャップ、ガード期間、ガードインターバル、および／または様々な他の適切な用語で呼ばれることもある。この分離は、ＤＬ通信（例えば、スケジューリングエンティティによる受信動作）から、ＵＬ通信（例えば、スケジューリングエンティティによる送信）への切り替えのための時間を提供する。ＵＬセントリックサブフレームはまた、共通ＵＬ部１００６を含み得る。図１０中の共通ＵＬ部１００６は、図１０に関連して上述された共通ＵＬ部１００６と同様であり得る。共通ＵＬ部１００６は、追加的にまたは代替的に、チャネル品質インジケータ（ＣＱＩ）、サウンディング基準信号（ＳＲＳ）、および様々な他の適切なタイプの情報に関連する情報を含み得る。前述のものが単にＵＬセントリックサブフレームの一例であり、また、同様の特徴を有する代替的構成が、本明細書で説明される態様から必ずしも逸脱せずに存在することを、当業者は理解するだろう。
【００８０】
[0092]  いくつかの状況では、２つ以上の下位エンティティ（例えば、ＵＥ）は、サイドリンク信号を使用して互いと通信し得る。このようなサイドリンク通信の現実世界のアプリケーションは、公共安全（public safety）、近接サービス、ＵＥからネットワークへの中継、車車間（Ｖ２Ｖ：vehicle-to-vehicle）通信、ＩｏＥ（Internet of Everything）通信、ＩｏＴ通信、ミッションクリティカルメッシュ、および／または様々な他の適切なアプリケーションを含み得る。概して、サイドリンク信号は、スケジューリングエンティティがスケジューリングおよび／または制御目的のために利用され得るとしても、スケジューリングエンティティ（例えば、ＵＥまたはＢＳ）を通してその通信を中継せずに、ある下位エンティティ（例えば、ＵＥ１）から別の下位エンティティ（例えば、ＵＥ２）に通信された信号を指し得る。いくつかの例では、サイドリンク信号は、（通常アンライセンススペクトルを使用する、ワイヤレスローカルエリアネットワークとは異なる）ライセンススペクトルを使用して通信され得る。
【００８１】
[0093]  ＵＥは、リソースの専用セットを使用してパイロットを送信することに関連付けられた構成（例えば、無線リソース制御（ＲＲＣ）専用状態（dedicated state）など）、またはリソースの共通セットを使用してパイロットを送信することに関連付けられた構成（例えば、ＲＲＣ共通状態（RRC common state）など）を含む、様々な無線リソース構成において動作し得る。ＲＲＣ専用状態で動作しているとき、ＵＥは、ネットワークにパイロット信号を送信するためにリソースの専用セットを選択し得る。ＲＲＣ共通状態で動作しているとき、ＵＥは、ネットワークにパイロット信号を送信するためにリソースの共通セットを選択し得る。いずれの場合にも、ＵＥによって送信されるパイロット信号は、アクセスノード（ＡＮ）、または分散ユニット（ＤＵ）、またはそれらの一部分のような１つまたは複数のアクセスネットワークアクセスデバイスによって受信され得る。各受信ネットワークアクセスデバイスは、リソースの共通セット上で送信されるパイロット信号を受信および測定し、また、ネットワークアクセスデバイスがＵＥのためのネットワークアクセスデバイスのモニタリングセットのメンバであるＵＥに割り振られるリソースの専用セット上で送信されるパイロット信号を受信および測定するように構成され得る。受信ネットワークアクセスデバイスがパイロット信号の測定を送信する集約ユニット（ＣＵ）、または受信ネットワークアクセスデバイスのうちの１つまたは複数は、ＵＥのためのサービングセルを識別するために、あるいは、ＵＥの１つまたは複数についてのサービングセルの変更を開始するために測定を使用し得る。
【００８２】
ＮＢ−ＩＯＴのための例示的なマルチＰＲＢ動作
[0094]  狭帯域（ＮＢ）ＩｏＴ（internet-of-things）ネットワーク（例えば、ワイヤレス通信ネットワーク１００）のようなある特定のシステムでは、複数のキャリア動作がサポートされ得る。ＮＢ−ＩｏＴは、動作のインバンド、ガードバンド、またはスタンドアロンモードで展開され得る。動作のＮＢ−ＩｏＴインバンドおよびガードバンド動作モードは、複数のＮＢ−ＩｏＴキャリア動作をサポートし得、スタンドアロン動作は、複数のキャリアをサポートし得る。
【００８３】
[0095]  複数の態様では、ＮＢ−ＩｏＴデバイスであり得るユーザ機器（ＵＥ）（例えば、ＵＥ１２０）は、セルをサーチし得る（例えば、ＢＳ１１０のセルサーチを行う）。ＵＥは、１つの特定のＲＢ中でそのセルを発見し得る。ある特定の態様に従って、ネットワークは、セルとの通信のために使用され得る追加の周波数リソース（例えば、ＰＲＢ）を用いてＵＥを構成（例えば、割り振り）し得る。例えば、基地局は、マスタ情報ブロック（ＭＩＢ）、システム情報ブロック（ＳＩＢ）、および／または無線リソース制御（ＲＲＣ）シグナリングを介して、ＰＲＢをＵＥに割り振り得る。
【００８４】
[0096]  通信の様々なタイプに対して、リソースのうちのいずれがＢＳによって使用されるか、またはＵＥによって使用されるべきかをＵＥが知ることと同様に、どのリソースが、ＢＳとの通信のために構成される／利用可能であるかをＵＥが知ることが望ましいだろう。
【００８５】
[0097]  ＵＥに対して利用可能なリソースを示すことと、セル中の通信のためにどのリソースを使用／モニタするかを決定することとを含むマルチＰＲＢ動作に関して、複数の技法および装置が本明細書で提供される。
【００８６】
[0098]  図１１は、本開示のある特定の態様に従った、複数のＰＲＢ動作のための例示的な動作１１００を示すフロー図である。動作１１００は、例えば、ＮＢ−ＩｏＴデバイスであり得るＵＥ（例えば、ＵＥ１２０）によって行われ得る。動作１１００は、１１０２において、ＢＳ（例えば、セルサーチ中に検出されるセルにおけるＢＳ）との狭帯域通信に利用可能なリソースブロック（ＲＢ）のセット内のアンカＲＢにおいて受信された１つまたは複数の信号（例えば、ＰＳＳ、ＳＳＳ、およびＰＢＣＨ）に基づいてセルサーチを行うことによって開始し得る。１１０４において、ＵＥは、（例えば、マスタ情報ブロック（ＭＩＢ）またはシステム情報ブロック（ＳＩＢ）においてブロードキャストされる、あるいは無線リソース制御（ＲＲＣ）シグナリングのような専用シグナリングを介して送信される）アンカＲＢにおいて受信されたインジケーションに基づいて、ＢＳとの狭帯域通信に利用可能な少なくとも１つの追加のＲＢ（例えば、インバンドまたはガードバンド）のロケーション（例えば、周波数ロケーション）を決定する。１２０６において、ＵＥは、アンカＲＢまたは少なくとも１つの追加のＲＢのうちの少なくとも１つを使用して、ＢＳとの狭帯域通信を行う。狭帯域通信は、異なるＲＢに関して異なって行われ得る。
【００８７】
狭帯域通信に利用可能な周波数リソースの例示的なシグナリング
[0099]  ある特定の態様に従って、ＢＳは、狭帯域通信に利用可能な周波数リソースをＵＥに知らせ得る。例えば、ＢＳは、ブロードキャストＭＩＢおよび／またはＳＩＢ、および／またはユニキャスト（例えば、ＲＲＣシグナリングを介した）送信において少なくとも１つの追加のＲＢのインジケーションを送り得る。
【００８８】
[0100]  １つの例示的な実装では、ＢＳは、利用可能な周波数リソースを示すために、ＵＥに絶対インデックスをシグナリングし得る。例えば、２０ＭＨｚシステムは、インデックス１〜１００を有する１００個のＰＲＢを含み得る。インバンドリソースを示すために、ＢＳは、狭帯域通信に利用可能なＰＲＢのインデックスを示す、ＵＥへのシグナリングを送信し得る。ＰＲＢインデックスはまた、ガードバンドＰＲＢを含むように拡張され得る。この例について、インデックスは、追加のガードバンドＰＲＢを示すために、１〜１１０に拡張され得る。この例は、限定されないが、他の実装では、異なるＰＲＢのインデックスおよび数が示され、ガードバンドＰＲＢのためのインデックスは、インバンドＰＲＢのインデックスとアラインしない可能性がある。例えば、ＲＢのセットは、スタンドアロンのために定義され得る。
【００８９】
[0101]  別の例示的な実装では、ＢＳは、アンカＰＲＢの周波数ロケーションに対する追加の利用可能な周波数リソースの周波数オフセットをシグナリングし得る。例えば、周波数オフセットは、ＰＲＢ、ｋＨｚ、サブキャリア、または他の周波数単位によるものであり得る。周波数オフセットは、インバンドの、ガードバンドの、またはスタンドアロンの周波数リソースを示し得る。
【００９０】
[0102]  加えて、ＢＳは、アンカＰＲＢがインバンドであるか、ガードバンドであるか、またはスタンドアロンであるかをＵＥにシグナリングし得る。ある特定の態様に従って、周波数オフセットは、アンカＰＲＢモード（すなわち、アンカＰＲＢがインバンドであるか、ガードバンドであるか、またはスタンドアロンであるか）に依存して、ＵＥによって異なって解釈され得る。例えば、アンカＰＲＢがスタンドアロンである場合、ＵＥは、２００ｋＨｚの単位でオフセットを解釈し得るが、アンカＰＲＢがインバンドまたはガードバンドである場合、ＵＥは、１８０ｋＨｚの単位でオフセットを解釈し得る。複数の態様では、ＵＥはアンカＰＲＢモードに基づいて、他の単位でオフセットを解釈し得る。
【００９１】
[0103]  いくつかのケースでは、ＵＥは、ある広帯域システムチャネル（例えば、ＬＴＥ）から、異なる広帯域システムチャネル（例えば、ＬＴＥ）へと、例えば、１つの広帯域システムのガードバンドから、別の広帯域システムのガードバンドへと移り得る。このケースでは、ＢＳはまた、追加のＰＲＢが異なる動作帯域幅中にあることをシグナリングし得る。
【００９２】
[0104]  ある特定の態様に従って、ＵＥは、通信に利用可能なＰＲＢのサブセットを用いて構成され得る。このケースでは、ＢＳは、ＵＥに追加の周波数リソースを示すために、（例えば、上述されたインデックスまたはオフセット技術を介して）狭帯域通信のためにＰＲＢのサブセットのうちのいずれを使用するかを（例えば、ＳＩＢ中で）シグナリングし得る。
【００９３】
[0105]  ある特定の態様に従って、２つのフィールドは、利用可能な周波数リソース（例えば、ＲＢ）と狭帯域動作モードを示すために使用され得る。例えば、ＢＳは、周波数リソースがインバンドであるか、ガードバンドであるか、またはスタンドアロンであるかを示す第１のフィールドをシグナリングし得、ＢＳは、追加のリソースのロケーション（例えば、ＲＢインデックスまたはオフセット）を示す第２のフィールドをシグナリングし得る。ＵＥは、第１のフィールドにおいて提供されたインジケーションに基づいて、第２のフィールド中のインジケーションを異なって解釈し得る。例えば、ＰＲＢオフセットが第２のフィールドにおいて提供される場合、そのオフセットは、インジケーションがガードバンドのためのものである場合には最後に測定されたＰＲＢに関して１５ｋＨｚトーンとして解釈され得、インジケーションがインバンドのためのものである場合には１８０ｋＨｚオフセットとして解釈され得る。
【００９４】
[0106]  さらに別の例示的な実装では、ＢＳは、追加の周波数リソース（例えば、利用可能なＲＢ）の絶対周波数ロケーションのインジケーションをシグナリングし得る。ある特定の態様に従って、ＢＳは、異なるキャリアインバンドにおける、異なるガードバンドにおける、または異なるセルからのスタンドアロンのための、周波数リソースをシグナリングし得る。複数の態様では、追加の周波数リソースは、他のアンカＲＢのリストであり得る。ＢＳはまた、追加の周波数リソースの展開タイプをシグナリングし得る。
【００９５】
[0107]  さらに別の例示的な実装では、ＵＥは、狭帯域通信のための可能性のある周波数リソースのセット（例えば、ＰＲＢのセット）を用いて構成され得る。例えば、可能性のあるＰＲＢは、ワイヤレス規格においてあらかじめ定義され得る。各アンカＰＲＢおよび各帯域幅について、他のＰＲＢは、ある特定のロケーションに固定され得る。１ビットまたは複数ビットが、使用されるＰＲＢの総数を決定するために、ＵＥにシグナリングされ得る。
【００９６】
ＰＲＢ間の例示的な情報共有
[0108]  ある特定の態様に従って、複数の利用可能な周波数リソース（例えば、ＮＢ−ＩｏＴに利用可能な）のうちの１つのＰＲＢが、「アンカＰＲＢ」として使用され得る。例示的な実装では、狭帯域プライマリ同期信号（ＰＳＳ）、狭帯域セカンダリ同期信号（ＳＳＳ）、および／または狭帯域物理ブロードキャストチャネル（ＰＢＣＨ）は、アンカＰＲＢ上で送信され得る。
【００９７】
[0109]  別の例示的な実装では、全てのブロードキャスト情報は、アンカＰＲＢで送信され得る。このケースでは、ＰＳＳ、ＳＳＳ、およびＰＢＣＨに加えて、ＳＩＢ、ランダムアクセスメッセージおよびページングがアンカＰＲＢにおいて送られ得る。
【００９８】
[0110]  代替的に、いくつかのブロードキャスト情報は、アンカＰＲＢにおいて送信され得、他のブロードキャスト情報は、他の利用可能なＰＲＢ上で送信され得る。例えば、ＰＳＳ、ＳＳＳ、ＰＢＣＨ、およびＳＩＢ１は、アンカＰＲＢ上で送信されるが、他のＳＩＢ、ランダムアクセスメッセージおよび／またはページングは、ＢＳとＵＥとの間の狭帯域通信に利用可能な他のＰＲＢにおいて送られ得る。複数の態様では、アンカＰＲＢ中のＳＩＢ１は、他のＳＩＢ、ＲＡＲ、およびページングメッセージのような他の送信をスケジューリングするための情報を含み得る。複数の周波数領域は、他の送信のために定義され、ＵＥは、例えば、ＵＥ ＩＤおよび／またはカバレッジレベルに基づいて領域間を選択し得る。
【００９９】
[0111]  例示的な実装では、アンカＰＲＢは、自己完結型（self-contained）であり得る。例えば、全ての通信が、アンカＰＲＢ中にあり得る。代替的に、いくつかの通信は、他の（例えば、複数の）ＰＲＢを介して行われ得る。ある特定の態様に従って、いくつかのＵＥは、アンカＰＲＢのみを介して通信するように構成され得るが、一方、他のＵＥは、アンカＰＲＢ、また追加のＰＲＢを使用して通信し得る。一例では、アンカＰＲＢおよび／または他のＰＲＢ上の送信は、ＵＥの能力（例えば、そのＵＥがレガシＵＥであるか、非レガシＵＥであるか）に基づき得る。例えば、ＵＥのある特定のタイプ（例えば、リリース１３のＵＥまたはそれ以前）について、アンカＰＲＢ通信のみがサポートされ得るが、一方、ＵＥの他のタイプ（例えば、リリース１３のＵＥまたはそれ以降）は、追加の（例えば、複数の）ＰＲＢにおける狭帯域通信をサポートし得る。複数の態様では、ＵＥは、ネットワークに（アンカのみにおいて、または他のＰＲＢにおいて通信するための）その能力をシグナリングし得る。いくつかのケースでは、ＵＥは、そのＵＥのバージョン（例えば、ＵＥによってサポートされたリリース）をシグナリングし得る。
【０１００】
ページングメッセージのためのマルチＰＲＢ動作
[0112]  ある特定の態様に従って、全てのページングは、ＵＥが他のＰＲＢ上の通信をサポートするときでさえ、アンカＰＲＢ上にあり得る。代替的に、全てのＵＥは、アンカおよび／または他のＰＲＢ上でページングされ得る。このケースでは、ＵＥは、例えば、ＵＥ ＩＤに基づいて、ページングについてモニタするためのＰＲＢを選択（例えば、決定）し得る。
【０１０１】
[0113]  いくつかのケースでは、ある特定のＵＥは、アンカＰＲＢ上のみのページ（pages）であり得る（例えば、アンカＰＲＢ上でのみ狭帯域通信をサポートするＵＥ）が、一方、他のＵＥは、他のＰＲＢ上でページングされ得る（例えば、他のＰＲＢ上の狭帯域通信をサポートするＵＥ）。よって、ＵＥがアンカ上でのみページングをサポートするか、あるいは、他のＰＲＢ上でもページングをサポートするかを知っていることがモバイルエンティティ（ＭＭＥ）にとっては望ましいだろう。ＭＭＥは、アンカおよび非アンカ通信のためのＵＥの能力について、ＵＥからのインジケーションを記憶し得る。同様に、ＵＥは、ＵＥの能力に基づいて、アンカおよび非アンカＰＲＢ上のページングについてモニタし得る。例えば、ＵＥが複数のＰＲＢ上の通信をサポートする場合、ＵＥは、追加のＰＲＢのＳＩＢ中のインジケーションを取得し、どのＰＲＢをモニタするかを選択する。選択は、上位層パラメータおよび／またはＵＥ ＩＤに基づき得る。
【０１０２】
ランダムアクセスメッセージのためのマルチＰＲＢ動作
[0114]  ある特定の態様に従って、全てのＵＥは、ＵＥがアンカＰＲＢ上でのみ通信をサポートするか、または追加のＰＲＢ上の通信もまたサポートするかに関わらず、アンカＰＲＢ上でのみ、物理ランダムアクセスチャネル（ＰＲＡＣＨ）メッセージを送信し、ランダムアクセス応答（ＲＡＲ）メッセージを受信し得る。
【０１０３】
[0115]  代替的に、全てのＵＥは、アンカＰＲＢおよび／または他のＰＲＢ上で、ＰＲＡＣＨメッセージを送信し得、ＲＡＲメッセージを受信し得る。このケースでは、ＵＥは、例えば、カバレッジレベル（例えば、異なるＲＢを使用する異なるカバレッジレベル）に基づいて、ＰＲＡＣＨメッセージを送信するために使用するＰＲＢを選択（例えば、決定）し得る。代替的に、ＵＥは、ＰＲＡＣＨメッセージを送信するために、プリアンブルおよびＰＲＢをランダムに選択し得る。ＵＥは、その選択されたプリアンブルおよびＰＲＢに依存して、共通ＲＡＲ領域または異なるＲＡＲ領域中のＲＡＲメッセージについてモニタし得る。
【０１０４】
[0116]  いくつかのケースでは、ある特定のＵＥ（例えば、アンカＰＲＢを使用した狭帯域通信のみをサポートするＵＥ）は、ＰＲＡＣＨメッセージを送信し、ＲＡＲメッセージを受信するために、アンカＰＲＢのみを使用することが可能であり得、他のＵＥ（例えば、アンカＰＲＢおよび／または追加のＰＲＢを使用した狭帯域通信をサポートするＵＥ）は、ＰＲＡＣＨメッセージを送信し、ＲＡＲメッセージを受信するために、非アンカＰＲＢを使用することが可能であり得る。アンカＰＲＢ上の狭帯域通信のみをサポートし得るＵＥのタイプは、ＰＲＡＣＨメッセージを送り、ＲＡＲメッセージを受信するために、アンカのみを使用し得る。代替的に、ＵＥが狭帯域通信のために複数のＰＲＢ（例えば、アンカＰＲＢおよび／または追加のＰＲＢ）を使用することが可能であり得る場合、ＰＲＡＣＨメッセージ送信に関して、ＵＥは、ＰＲＡＣＨ送信および／またはＲＡＲメッセージモニタリングのために、アンカＰＲＢを使用すること、あるいは、他のＰＲＢを使用することから選択することができる。その選択は、ＵＥ ＩＤに基づき得る。選択は、ＳＩＢにおいてあらかじめ定められ得る（例えば、ＳＩＢは、アンカＰＲＢ以外の他のＰＲＢ上で狭帯域通信が可能なすべてのＵＥが非アンカＰＲＢ上でＲＡＲについてモニタすることを示し得る）。ＰＲＢは、ＵＥによってランダムに選択され得る。アンカＰＲＢ中のプリアンブルのサブセットは、アンカＰＲＢ上でのみ狭帯域通信が可能なＵＥのために予約され得る。予約されたプリアンブルは、非アンカＰＲＢにおいて、ＰＲＡＣＨを送信し、ＲＡＲを受信するための能力をシグナリングするために使用され得る。
【０１０５】
[0117]  ある特定の態様に従って、いくつかのＵＥが複数の異なるＲＢを使用することができるように一方、他のＵＥは、通信のためにアンカＰＲＢのみを使用するように、ＰＲＡＣＨ ＰＲＢまたはＰＲＡＣＨプリアンブルとＲＡＲ ＰＲＢとの間の関連が存在し得る。
【０１０６】
[0118]  １つの例示的な実装では、ＵＥは、アンカＰＲＢ以外の他のＰＲＢが狭帯域通信に利用可能であることを示すシグナリングを（例えば、ＳＩＢ１において）受信し得る。ＵＥは、例えば、ＰＲＡＣＨ送信のために、他のＰＲＢを使用し得る。いくつかのケースでは、異なるリソースは、異なるＰＲＢで利用可能であり得る。例えば、異なるＰＲＡＣＨバンドリングサイズは、異なるＰＲＢのために使用され得る。
【０１０７】
[0119]  別の例示的な実装では、ＵＥは、アンカＰＲＢ上でランダムアクセスを行い（例えば、ＰＲＡＣＨおよび／または他のメッセージを送り）得る。ＵＥはまた、ＲＡＣＨプロシージャおよびＲＲＣ再構成が完了するまで、アンカＰＲＢ上で他のメッセージを送り得る。ＲＲＣ再構成の後、ＵＥは、他のＰＲＢ上で送信し得る。
【０１０８】
[0120]  ある特定の態様に従って、アップリンクおよびダウンリンクＰＲＢが切り離され得る。例えば、ＵＥは、アップリンク通信のためのＰＲＢの第１のセットと、ダウンリンクのためのＰＲＢの異なるセットとを使用し得る。
【０１０９】
[0121]  ある特定の態様に従って、ＰＳＳおよびＳＳＳのような同期信号は、アンカＰＲＢにおいて送信され得、よりまばらな（sparser）同期信号は、より大きな周期性で非アンカＰＲＢにおいて送信され得る。これは、ＵＥが時間および／または周波数追跡を行うのに有用であり得る。一例では、ＰＳＳは、アンカＰＲＢにおいて１０ｍｓ毎に、非アンカＰＲＢにおいて１００ｍｓ毎に送信され得る。ある特定の態様に従って、初期サーチ中にＵＥが非アンカＰＲＢに同期すること（synching）を避けるために、異なるシーケンスがアンカＰＲＢおよび他のＰＲＢで使用され得る。複数の態様では、ＰＲＢがアンカＰＲＢではないとのインジケーションが、ＰＢＣＨおよび／またはＳＩＢ中で提供され得る。インジケーションはまた、アンカＰＲＢのロケーションを示すことを提供する。
【０１１０】
[0122]  ある特定の態様に従って、非アンカＰＲＢおよびアンカＰＲＢが、異なる展開モード（例えば、インバンド、ガードバンド、スタンドアロン）にある場合、追加のシグナリングが使用され得る。例えば、アンカＰＲＢがガードバンド中にあり、非アンカＰＲＢがインバンドにある場合、制御フォーマットインジケーション（ＣＦＩ：control format indication）情報が提供され得る。それらの情報はまた、帯域幅情報および／またはＣＲＳスクランブリング情報を含み得る。情報は、レートマッチングを行うために使用され得る。
【０１１１】
[0123]  ある特定の態様に従って、異なる電力レベルは、異なるＰＲＢでの送信のために使用され得る。例えば、ダウンリンク送信について、異なる電力スペクトル密度（ＰＳＤ：power spectral density）ブースティングが、異なるＰＲＢにおいて使用され得る。アップリンク送信について、異なる最大電力レベルは、異なるＰＲＢでの送信のために使用され得る。
【０１１２】
[0124]  ある特定の態様に従って、ＢＳはまた、ＵＥへの他のＰＲＢのコロケーション情報（co-location information）をシグナリングし得る。ＵＥは、他のＰＲＢにおいて別個の時間および周波数追跡ループを、それらがコロケートされない場合に起動し得る。
【０１１３】
[0125]  上述されるように、ＳＩＢ情報は、複数のＰＲＢ間で分割され得る。いくつかの共通の情報（例えば、広帯域セルのためのＣＳＩ−ＲＳ構成、制御のためのＯＦＤＭシンボルの数など）は、アンカＰＲＢ ＳＩＢにおいてのみ送られ得る。いくつかのＰＲＢ固有情報は、他のＰＲＢに含まれ得る。
【０１１４】
[0126]  ある特定の態様に従って、アンカＰＲＢ ＳＩＢはまた、（例えば、値のタグを共有することによって、または同様に他のＰＲＢの値のタグを送信することによって）他のＰＲＢのＳＩＢ中の変更のインジケーションを含み得る。他のＰＲＢのＳＩＢは、アンカＰＲＢのＳＩＢ中の変更のインジケーションを含み得る。
【０１１５】
[0127]  図１２は、本開示のある特定の態様に従った、ＢＳ（例えば、ＢＳ１１０）によるワイヤレス通信のための例示的な動作を例示するフロー図である。動作１２００は、ＵＥによって行われる動作１１００に対する、ＢＳによって行われる相補的な動作を備え得る。動作１２００は、１２０２において、ＵＥとの狭帯域通信に利用可能なＲＢのセット内のアンカＲＢにおいて１つまたは複数の信号を送ることによって開始し得る。１２０４において、ＢＳは、アンカＲＢにおいて、ＵＥとの狭帯域通信に利用可能な少なくとも１つの追加のＲＢのロケーションのインジケーションをシグナリングする。１２０６において、ＢＳは、アンカＲＢまたは少なくとも１つの追加のＲＢのうちの少なくとも１つを使用して、ＵＥとの狭帯域通信を行う。
【０１１６】
[0128]  ある特定の態様に従って、（例えば、動作１２００のような）本明細書で説明される技法は、単一のネットワークエンティティによって行われ得るか、または複数のネットワークエンティティ間で共有され得る。例えば、ページングを送信するためのプロシージャは、ＭＭＥおよびＢＳ間で共有され得る。
【０１１７】
[0129]  本明細書で使用されるとき、項目のリスト「のうちの少なくとも１つ」を示すフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃと、ならびに同じ要素の繰り返しとの任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの他の任意の順序）をカバーすることを意図する。
【０１１８】
[0130]  本明細書で使用されるとき、「識別すること」という用語は、幅広いアクションを包含する。例えば、「識別すること」は、算出すること、計算すること、処理すること、導出すること、調査すること、ルックアップすること（例えば、表、データベースまたは別のデータ構造においてルックアップすること）、確かめることなどを含み得る。また、「識別すること」は、受信すること（例えば、情報を受信すること）、アクセスすること（例えば、メモリ内のデータにアクセスすること）などを含み得る。また、「識別すること」は、解決すること、選択すること、選ぶこと、確立することなどを含み得る。
【０１１９】
[0131]  いくつかのケースでは、実際にフレームを通信するというよりもむしろ、デバイスは、送信または受信のためにフレームを通信するためのインターフェースを有し得る。例えば、プロセッサは、送信のためにＲＦフロントエンドに、バスインターフェースを介してフレームを出力し得る。同様に、フレームを実際に受信するよりもむしろ、デバイスは、別のデバイスから受信したフレームを取得するためのインターフェースを有し得る。例えば、プロセッサは、送信のために、ＲＦフロントエンドからバスインターフェースを介してフレームを取得（または受信）し得る。
【０１２０】
[0132]  本明細書に開示されている方法は、説明された方法を達成するための１つまたは複数のステップまたはアクションを備える。方法のステップおよび／またはアクションは、特許請求の範囲から逸脱することなく、互いに置き換えられ得る。言い換えると、ステップまたはアクションの特定の順序が指定されない限り、特定のステップおよび／またはアクションの順序および／または使用は、特許請求の範囲から逸脱することなく変更され得る。
【０１２１】
[0133]  上述された方法の様々な動作は、対応する機能を行うことが可能な任意の適切な手段によって行われ得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。概して、図面に例示された動作が存在する場合、これら動作は、任意の適切な対応するもう一方のミーンズプラスファンクションコンポーネントによって行われ得る。
【０１２２】
[0134]  例えば、決定するための手段、行うための手段、送信するための手段、受信するための手段、モニタするための手段、送るための手段、シグナリングするための手段、および／または通信するための手段は、１つまたは複数のプロセッサを含むか、または他の要素、例えば、図２に例示されるユーザ機器１２０の、送信プロセッサ２６４、コントローラ／プロセッサ２８０、受信プロセッサ２５８、および／またはアンテナ２５２、並びに／あるいは、図２に例示される基地局１１０の、送信プロセッサ２２０、コントローラ／プロセッサ２４０、および／またはアンテナ２３４を含む。
【０１２３】
[0135]  当業者は、情報および信号が多種多様な技術および技法のいずれかを使用して表され得ることを理解するだろう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２４】
[0136]さらに、本明細書の開示に関して説明される様々な例示的な論理ブロック、モジュール、回路、およびアルゴリズムステップが、電子ハードウェア、ソフトウェア／ファームウェアとして実装され得るか、またはそれらの組合せとして実装され得ることを、当業者は理解するだろう。ハードウェアとソフトウェア／ファームウェアのこの互換性を明確に例示するために、様々な例示的なコンポーネント、ブロック、モジュール、回路、およびステップが、概してそれらの機能に関して上述されている。そのような機能をハードウェアとして実装するか、またはソフトウェア／ファームウェアとして実装するかは、特定のアプリケーションおよび全体的なシステムに課された設計制約に依存する。当業者は、説明された機能を特定のアプリケーションごとに様々な方法で実装することができるが、そのような実装の決定は、本開示の範囲からの逸脱を生じるものと解釈されるべきではない。
【０１２５】
[0137]  本明細書の開示に関して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２６】
[0138]  本明細書の開示に関して説明されるアルゴリズムまたは方法のステップは、直接的にハードウェアで、プロセッサによって実行されるソフトウェア／ファームウェアモジュールで、またはそれらの組み合わせで具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当該技術分野で知られている記憶媒体の任意の他の形態に存在し得る。例示的な記憶媒体は、プロセッサが記憶媒体から情報を読み取り、記憶媒体に情報を書き込むことができるように、プロセッサに結合される。代替として、記憶媒体は、プロセッサに一体化され得る。プロセッサおよび記憶媒体は、ＡＳＩＣ中に存在し得る。ＡＳＩＣは、ユーザ端末内に存在し得る。代替として、プロセッサおよび記憶媒体は、ユーザ端末中にディスクリートコンポーネントとして存在し得る。
【０１２７】
[0139]  １つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスできる任意の利用可能な媒体であり得る。限定はされないが、例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望でプログラムコード手段を搬送または記憶するために使用され得、汎用もしくは専用コンピュータ、または汎用もしくは専用プロセッサによってアクセスされ得る、任意の他の媒体を備えることができる。さらに、いかなる接続もコンピュータ可読媒体と適切に呼ばれる。例えば、ソフトウェア／ファームウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびＢｌｕ−ｒａｙ（登録商標）ディスクを含み、ディスク（disk）は、通常、データを磁気的に再生し、ディスク（disc）は、データをレーザーで光学的に再生する。上記の組合せもコンピュータ可読媒体の範囲内に含めるべきである。
【０１２８】
[0140]  本開示の前述の説明は、いかなる当業者も本開示を作成または使用することができるように提供される。本開示への様々な修正は当業者には容易に明らかとなり、本明細書で定義された一般原理は、本開示の趣旨または範囲から逸脱することなく他のバリエーションに適用され得る。よって、本開示は、本明細書で説明される例および設計に限定されることを意図するものではなく、本明細書で開示される原理および新規の特徴に合致する最も広い範囲を与えられるべきである。
【図１】
2019508968.tif 000003
【図２】
2019508968.tif 000004
【図３】
2019508968.tif 000005
【図４】
2019508968.tif 000006
【図５】
2019508968.tif 000007
【図６】
2019508968.tif 000008
【図７】
2019508968.tif 000009
【図８】
2019508968.tif 000010
【図９】
2019508968.tif 000011
【図１０】
2019508968.tif 000012
【図１１】
2019508968.tif 000013
【図１２】
2019508968.tif 000014
【国際調査報告】
2019508968.tif 000015
2019508968.tif 000016
2019508968.tif 000017
2019508968.tif 000018